(57)【要約】  本技術は、生体情報に応じて、人に見えないようにすべきものを目で見えないように隠した状態にする、または、見せたいものは目で見える状態にすることができるようにする遮光装置および遮光方法、並びにプログラムに関する。２つの空間を仕切り、光を透過する透過状態、または遮光する遮光状態に制御可能な複数のパネルから構成される遮光壁を窓として使用し、生体情報として眠っているユーザの顔の向きを検出し、アラームが設定されている時刻になったときには、ユーザにより太陽を光源とする光を視認できるように、遮光壁を制御することで、見せたい太陽を光源とする光を目で見える状態とすることで、ユーザの快適に目覚めさせることができる。本開示は、遮光壁に適用することができる。
2018061791.tif 000002
【特許請求の範囲】
【請求項１】
第１の空間と、第２の空間とを仕切り、光を透過する透過状態、または遮光する遮光状態に制御可能な複数の領域から構成される遮光壁と、
ユーザの生体情報に基づいて、前記複数の領域のそれぞれの位置の前記透過状態、または前記遮光状態を制御する遮光透過情報を生成する遮光透過情報生成部と、
前記遮光透過情報生成部により生成された前記遮光透過情報に基づいて、前記遮光壁の複数の領域の透過状態、または、遮光状態を制御する制御部と
を含む遮光装置。
【請求項２】
前記遮光壁は室内と室外とを仕切る窓であり、
前記ユーザが前記室内において睡眠中であるか否かを示す生体情報として取得する生体情報取得部をさらに含み、
前記遮光透過情報生成部は、前記生体情報取得部により取得された、前記ユーザが睡眠中であるか否かに基づいて、前記室外に存在する光源からの光を前記室内の特定位置に照射するように、前記複数の領域のそれぞれの位置の前記透過状態、または前記遮光状態を制御する遮光透過情報を生成する
請求項１に記載の遮光装置。
【請求項３】
前記生体情報は、前記ユーザの睡眠中の顔の向きを示す情報をさらに含み、
前記遮光透過情報生成部は、前記ユーザが目覚ましを目的としたアラーム時刻を設定している場合、前記生体情報に基づいて、前記ユーザの睡眠中の顔の向きに基づいて、前記アラーム時刻において、前記室外に存在する光源からの光である、太陽を光源とする光を、前記室内の特定位置である、前記ユーザの目に照射するように、前記複数の領域のそれぞれの位置の前記透過状態、または前記遮光状態を制御する遮光透過情報を生成する
請求項２に記載の遮光装置。
【請求項４】
前記生体情報は、前記ユーザの眠りの状態を求めるための情報をさらに含み、
自らの位置である緯度および経度の情報、前記遮光壁の向き、時刻情報に基づいて、前記遮光壁の各領域に入射する前記太陽を光源とする光の入射角度を太陽光入射角度として算出する太陽光入射角度算出部をさらに含み、
前記ユーザが前記室内において睡眠中であるか否かを示すと共に、前記ユーザの眠りの状態を求めるための生体情報に基づいて、前記アラーム時刻の近傍の時刻において睡眠中であるか否かを判定し、さらに、睡眠中であるとき、前記眠りの浅い、目覚め易い時刻を求める眠り深度算出部をさらに含み、
前記遮光透過情報生成部は、前記ユーザの睡眠中の顔の向きを示す情報を示す生体情報と、前記太陽光入射角度情報とに基づいて、前記アラーム時刻に対応する、前記眠りの浅い、目覚め易い時刻おいて、前記太陽を光源とする光を、前記ユーザの目に照射するように、前記複数の領域のそれぞれの位置の前記透過状態、または前記遮光状態を制御する遮光透過情報を生成する
請求項３に記載の遮光装置。
【請求項５】
前記ユーザの眠りの状態を求めるための生体情報は、ユーザの脈拍、体温、血圧、呼吸回数、又は寝返りの頻度の情報を含む
請求項４に記載の遮光装置。
【請求項６】
前記睡眠中のユーザを撮像する撮像部をさらに含み、
前記生体情報取得部は、前記撮像部により撮像された画像に基づいて、前記寝返りの頻度の情報を生体情報として取得する
請求項５に記載の遮光装置。
【請求項７】
外部情報を取得する外部情報取得部と、
前記ユーザの眠りの状態を求めるため生体情報に基づいて、前記ユーザの前記アラーム時刻以降における目覚めを検出する目覚め検出部をさらに含み、
前記目覚め検出部により前記アラーム時刻以降において目覚めが検出された場合、前記遮光透過情報生成部は、前記外部情報に基づく表示を前記ユーザが視認できるように、前記複数の領域のそれぞれの位置の前記透過状態、または前記遮光状態を制御する遮光透過情報を生成する
請求項１に記載の遮光装置。
【請求項８】
前記外部情報取得部は、降雨センサにより測定される降雨量に基づいた降雨データ、又はPM2.5測定器により測定されるPM2.5の測定量であるPM2.5データを含む外部情報を取得し、
前記目覚め検出部により目覚めが検出された場合、前記遮光透過情報生成部は、前記ユーザの顔の向きに基づいて、前記外部情報としての前記降雨データおよび前記PM2.5データに対応する測定結果に応じた表示を視認できるように、前記複数の領域のそれぞれの位置の前記透過状態、または前記遮光状態を制御する遮光透過情報を生成する
請求項７に記載の遮光装置。
【請求項９】
前記遮光透過情報生成部は、前記外部情報に基づく表示を、前記室外に存在する光源からの光が前記ユーザにとって逆光とならない、前記遮光壁上の位置で視認できるように、前記複数の領域のそれぞれの位置の前記透過状態、または前記遮光状態を制御する遮光透過情報を生成する
請求項７に記載の遮光装置。
【請求項１０】
前記外部情報が異常な状態を示すか否かを判定する異常判定部をさらに含み、
前記異常判定部により異常であるか否かに応じて、前記遮光透過情報生成部は、前記外部情報に基づく表示が異なる位置又は大きさで前記遮光壁上に表示されるように、前記複数の領域のそれぞれの位置の前記透過状態、または前記遮光状態を制御する遮光透過情報を生成する
請求項７に記載の遮光装置。
【請求項１１】
前記太陽光入射角度情報に基づいて、前記ユーザが視認する前記太陽を光源とする光の光量を調整するため、前記遮光透過情報において、前記透過状態に制御される前記複数の領域における透過率を設定し、前記遮光透過情報に付加する透過率設定部をさらに含む
請求項４に記載の遮光装置。
【請求項１２】
前記ユーザの所定の活動の開始を示す生体情報を取得する生体情報取得部をさらに含み、
前記遮光透過情報生成部は、前記生体情報取得部により取得された、前記ユーザの所定の活動が開始されたタイミングからの経過時間を視認できるように、前記複数の領域のそれぞれの位置の前記透過状態、または前記遮光状態を制御する遮光透過情報を生成する
請求項１に記載の遮光装置。
【請求項１３】
前記生体情報取得部は、前記ユーザの所定の活動が開始されたことを示す生体情報として、歯のブラッシングの開始を示す生体情報を取得し、
前記遮光透過情報生成部は、前記生体情報取得部により取得された、前記ユーザの歯のブラッシングが開始されたタイミングからの経過時間を、砂時計を象った模様として、視認できるように、前記複数の領域のそれぞれの位置の前記透過状態、または前記遮光状態を制御する遮光透過情報を生成する
請求項１２に記載の遮光装置。
【請求項１４】
ユーザの画像を撮像する撮像部と、
前記ユーザの歯のブラッシングに使用される電動歯ブラシの充電スタンドとをさらに含み、
前記生体情報取得部は、前記撮像部により撮像された画像において、前記ユーザが歯ブラシを把持したか否かを判定すると共に、前記充電スタンドにおいて前記電動歯ブラシが接続されて充電できる状態であるか否かを判定し、前記判定結果に基づいて、前記画像において前記電動歯ブラシが前記ユーザにより把持されているとき、および、前記充電スタンドにおいて前記電動歯ブラシが接続されておらず、充電できない状態であるときの少なくともいずれかであるとき、前記歯のブラッシングの開始を示す生体情報を取得する
請求項１２に記載の遮光装置。
【請求項１５】
前記第１の空間は、室内であり、前記第２の空間は、室外であり、前記遮光壁が、前記室内と、前記室外とを仕切る壁であり、
前記室外に存在する人物の身長を生体情報として取得する生体情報取得部をさらに含み、
前記遮光透過情報生成部は、
前記室内の利用可能時間の開始時刻において、
前記複数の領域を全て遮光状態に制御する遮光透過情報を生成し、
前記室内の利用可能時間の終了時刻から所定の時間だけ前の時刻において、
前記生体情報取得部により取得された、前記人物の身長の情報に基づいて、前記複数の領域のうち、前記遮光壁における、前記身長より高い領域の前記複数の領域を前記透過状態に制御する遮光透過情報を生成する
請求項１に記載の遮光装置。
【請求項１６】
前記室内が利用可能時間の終了時刻から所定の時間だけ前の時刻以降において、前記遮光透過情報生成は、前記生体情報取得部により取得された、前記人物の身長の情報に基づいて、前記複数の領域のうち、前記遮光壁における、前記身長より高い遮光状態に制御された前記複数の領域のうちの、最も高い一部の領域の前記複数の領域から、時系列に、かつ、段階的に前記透過状態に制御する遮光透過情報を生成する
請求項１５に記載の遮光装置。
【請求項１７】
前記室内が利用可能時間の終了時刻となったとき、前記遮光透過情報生成部は、前記複数の領域を全て透過状態に制御する遮光透過情報を生成する
請求項１５に記載の遮光装置。
【請求項１８】
前記室内は、会議室、および時間貸ししている部屋の室内を含む
請求項１５に記載の遮光装置。
【請求項１９】
第１の空間と、第２の空間とを仕切り、光を透過する透過状態、または遮光する遮光状態に制御可能な複数の領域から構成される遮光壁を含む遮光装置の遮光方法であって、
ユーザの生体情報に基づいて、前記複数の領域のそれぞれの位置の前記透過状態、または前記遮光状態を制御する遮光透過情報を生成し、
生成された前記遮光透過情報に基づいて、前記遮光壁の複数の領域の透過状態、または、遮光状態を制御する
ステップを含む遮光装置の遮光方法。
【請求項２０】
第１の空間と、第２の空間とを仕切り、光を透過する透過状態、または遮光する遮光状態に制御可能な複数の領域から構成される遮光壁と、
ユーザの生体情報に基づいて、前記複数の領域のそれぞれの位置の前記透過状態、または前記遮光状態を制御する遮光透過情報を生成する遮光透過情報生成部と、
前記遮光透過情報生成部により生成された前記遮光透過情報に基づいて、前記遮光壁の複数の領域の透過状態、または、遮光状態を制御する制御部と
してコンピュータを機能させるためのプログラム。
【発明の詳細な説明】
【技術分野】
【０００１】
本技術は、遮光装置および遮光方法、並びにプログラムに関し、特に、生体情報に応じて、隠すべきものを目で見えないように隠す、もしくは見え難い状態とする、または、見えるようにするべきものを目に入り易い状態にするようにした遮光装置および遮光方法、並びにプログラムに関する。
【背景技術】
【０００２】
人に見えない状態にすべきものは隠しつつ、見せたいものは見せられるようにする遮光装置が提案されている（特許文献１参照）。
【先行技術文献】
【特許文献】
【０００３】
【特許文献１】国際公開第２０１４／０１０４９８号
【発明の概要】
【発明が解決しようとする課題】
【０００４】
しかしながら、上述の特許文献１に記載の遮光装置においては、生体情報や外部情報に応じて、人に見えないようにすべきものを目で見えないように隠した状態にする、または、見せたいものは目で見える状態にするものではない。【０００５】
本開示は、このような状況に鑑みてなされたものであり、特に、生体情報や外部情報に応じて、隠すべきものを目で見えないように隠す、もしくは目で見え難い状態とする、または、見えるようにするべきものを目に入り易い状態にするものである。
【課題を解決するための手段】
【０００６】
本開示の一側面の遮光装置は、第１の空間と、第２の空間とを仕切り、光を透過する透過状態、または遮光する遮光状態に制御可能な複数の領域から構成される遮光壁と、ユーザの生体情報に基づいて、前記複数の領域のそれぞれの位置の前記透過状態、または前記遮光状態を制御する遮光透過情報を生成する遮光透過情報生成部と、前記遮光透過情報生成部により生成された前記遮光透過情報に基づいて、前記遮光壁の複数の領域の透過状態、または、遮光状態を制御する制御部とを含む遮光装置である。【０００７】
前記遮光壁は室内と室外とを仕切る窓とすることができ、前記ユーザが前記室内において睡眠中であるか否かを示す生体情報として取得する生体情報取得部をさらに含ませるようにすることができ、前記遮光透過情報生成部には、前記生体情報取得部により取得された、前記ユーザが睡眠中であるか否かに基づいて、前記室外に存在する光源からの光を前記室内の特定位置に照射するように、前記複数の領域のそれぞれの位置の前記透過状態、または前記遮光状態を制御する遮光透過情報を生成させるようにすることができる。【０００８】
前記生体情報には、前記ユーザの睡眠中の顔の向きを示す情報をさらに含ませるようにすることができ、前記遮光透過情報生成部には、前記ユーザが目覚ましを目的としたアラーム時刻を設定している場合、前記生体情報に基づいて、前記ユーザの睡眠中の顔の向きに基づいて、前記アラーム時刻において、前記室外に存在する光源からの光である、太陽を光源とする光を、前記室内の特定位置である、前記ユーザの目に照射するように、前記複数の領域のそれぞれの位置の前記透過状態、または前記遮光状態を制御する遮光透過情報を生成させるようにすることができる。【０００９】
前記生体情報には、前記ユーザの眠りの状態を求めるための情報をさらに含ませるようにすることができ、自らの位置である緯度および経度の情報、前記遮光壁の向き、時刻情報に基づいて、前記遮光壁の各領域に入射する前記太陽を光源とする光の入射角度を太陽光入射角度として算出する太陽光入射角度算出部をさらに含ませるようにすることができ、前記ユーザが前記室内において睡眠中であるか否かを示すと共に、前記ユーザの眠りの状態を求めるための生体情報に基づいて、前記アラーム時刻の近傍の時刻において睡眠中であるか否かを判定し、さらに、睡眠中であるとき、前記眠りの浅い、目覚め易い時刻を求める眠り深度算出部をさらに含ませるようにすることができ、前記遮光透過情報生成部には、前記ユーザの睡眠中の顔の向きを示す情報を示す生体情報と、前記太陽光入射角度情報とに基づいて、前記アラーム時刻に対応する、前記眠りの浅い、目覚め易い時刻おいて、前記太陽を光源とする光を、前記ユーザの目に照射するように、前記複数の領域のそれぞれの位置の前記透過状態、または前記遮光状態を制御する遮光透過情報を生成させるようにすることができる。【００１０】
前記ユーザの眠りの状態を求めるための生体情報には、ユーザの脈拍、体温、血圧、呼吸回数、又は寝返りの頻度の情報を含ませるようにすることができる。【００１１】
前記睡眠中のユーザを撮像する撮像部をさらに含ませるようにすることができ、前記生体情報取得部には、前記撮像部により撮像された画像に基づいて、前記寝返りの頻度の情報を生体情報として取得させるようにすることができる。【００１２】
外部情報を取得する外部情報取得部と、前記ユーザの眠りの状態を求めるため生体情報に基づいて、前記ユーザの前記アラーム時刻以降における目覚めを検出する目覚め検出部をさらに含ませるようにすることができ、前記目覚め検出部により前記アラーム時刻以降において目覚めが検出された場合、前記遮光透過情報生成部には、前記外部情報に基づく表示を前記ユーザが視認できるように、前記複数の領域のそれぞれの位置の前記透過状態、または前記遮光状態を制御する遮光透過情報を生成させるようにすることができる。【００１３】
前記外部情報取得部は、降雨センサにより測定される降雨量に基づいた降雨データ、又はPM2.5測定器により測定されるPM2.5の測定量であるPM2.5データを含む外部情報を取得させるようにすることができ、前記目覚め検出部により目覚めが検出された場合、前記遮光透過情報生成部には、前記ユーザの顔の向きに基づいて、前記外部情報としての前記降雨データおよび前記PM2.5データに対応する測定結果に応じた表示を視認できるように、前記複数の領域のそれぞれの位置の前記透過状態、または前記遮光状態を制御する遮光透過情報を生成させるようにすることができる。【００１４】
前記遮光透過情報生成部には、前記外部情報に基づく表示を、前記室外に存在する光源からの光が前記ユーザにとって逆光とならない、前記遮光壁上の位置で視認できるように、前記複数の領域のそれぞれの位置の前記透過状態、または前記遮光状態を制御する遮光透過情報を生成させるようにすることができる。【００１５】
前記外部情報が異常な状態を示すか否かを判定する異常判定部をさらに含ませるようにすることができ、前記異常判定部により異常であるか否かに応じて、前記遮光透過情報生成部には、前記外部情報に基づく表示が異なる位置又は大きさで前記遮光壁上に表示されるように、前記複数の領域のそれぞれの位置の前記透過状態、または前記遮光状態を制御する遮光透過情報を生成させるようにすることができる。【００１６】
前記太陽光入射角度情報に基づいて、前記ユーザが視認する前記太陽を光源とする光の光量を調整するため、前記遮光透過情報において、前記透過状態に制御される前記複数の領域における透過率を設定し、前記遮光透過情報に付加する透過率設定部をさらに含ませるようにすることができる。【００１７】
前記ユーザの所定の活動の開始を示す生体情報を取得する生体情報取得部をさらに含ませるようにすることができ、前記遮光透過情報生成部には、前記生体情報取得部により取得された、前記ユーザの所定の活動が開始されたタイミングからの経過時間を視認できるように、前記複数の領域のそれぞれの位置の前記透過状態、または前記遮光状態を制御する遮光透過情報を生成させるようにすることができる。【００１８】
前記生体情報取得部には、前記ユーザの所定の活動が開始されたことを示す生体情報として、歯のブラッシングの開始を示す生体情報を取得させるようにすることができ、前記遮光透過情報生成部には、前記生体情報取得部により取得された、前記ユーザの歯のブラッシングが開始されたタイミングからの経過時間を、砂時計を象った模様として、視認できるように、前記複数の領域のそれぞれの位置の前記透過状態、または前記遮光状態を制御する遮光透過情報を生成させるようにすることができる。【００１９】
ユーザの画像を撮像する撮像部と、前記ユーザの歯のブラッシングに使用される電動歯ブラシの充電スタンドとをさらに含ませるようにすることができ、前記生体情報取得部には、前記撮像部により撮像された画像において、前記ユーザが歯ブラシを把持したか否かを判定すると共に、前記充電スタンドにおいて前記電動歯ブラシが接続されて充電できる状態であるか否かを判定させ、前記判定結果に基づいて、前記画像において前記電動歯ブラシが前記ユーザにより把持されているとき、および、前記充電スタンドにおいて前記電動歯ブラシが接続されておらず、充電できない状態であるときの少なくともいずれかであるとき、前記歯のブラッシングの開始を示す生体情報を取得させるようにすることができる。【００２０】
前記第１の空間は、室内であり、前記第２の空間は、室外であり、前記遮光壁が、前記室内と、前記室外とを仕切る壁であり、前記室外に存在する人物の身長を生体情報として取得する生体情報取得部をさらに含ませるようにすることができ、前記遮光透過情報生成部には、前記室内の利用可能時間の開始時刻において、前記複数の領域を全て遮光状態に制御する遮光透過情報を生成させ、前記室内の利用可能時間の終了時刻から所定の時間だけ前の時刻において、前記生体情報取得部により取得された、前記人物の身長の情報に基づいて、前記複数の領域のうち、前記遮光壁における、前記身長より高い領域の前記複数の領域を前記透過状態に制御する遮光透過情報を生成させるようにすることができる。【００２１】
前記室内が利用可能時間の終了時刻から所定の時間だけ前の時刻以降において、前記遮光透過情報生成には、前記生体情報取得部により取得された、前記人物の身長の情報に基づいて、前記複数の領域のうち、前記遮光壁における、前記身長より高い遮光状態に制御された前記複数の領域のうちの、最も高い一部の領域の前記複数の領域から、時系列に、かつ、段階的に前記透過状態に制御する遮光透過情報を生成させるようにすることができる。【００２２】
前記室内が利用可能時間の終了時刻となったとき、前記遮光透過情報生成部には、前記複数の領域を全て透過状態に制御する遮光透過情報を生成させるようにすることができる。【００２３】
前記室内には、会議室、および時間貸ししている部屋の室内を含ませるようにすることができる。【００２４】
本開示の一側面の遮光装置の遮光方法は、第１の空間と、第２の空間とを仕切り、光を透過する透過状態、または遮光する遮光状態に制御可能な複数の領域から構成される遮光壁を含む遮光装置の遮光方法であって、ユーザの生体情報に基づいて、前記複数の領域のそれぞれの位置の前記透過状態、または前記遮光状態を制御する遮光透過情報を生成し、生成された前記遮光透過情報に基づいて、前記遮光壁の複数の領域の透過状態、または、遮光状態を制御するステップを含む遮光装置の遮光方法である。【００２５】
本開示の一側面のプログラムは、第１の空間と、第２の空間とを仕切り、光を透過する透過状態、または遮光する遮光状態に制御可能な複数の領域から構成される遮光壁と、ユーザの生体情報に基づいて、前記複数の領域のそれぞれの位置の前記透過状態、または前記遮光状態を制御する遮光透過情報を生成する遮光透過情報生成部と、前記遮光透過情報生成部により生成された前記遮光透過情報に基づいて、前記遮光壁の複数の領域の透過状態、または、遮光状態を制御する制御部としてコンピュータを機能させるためのプログラムである。【００２６】
本開示の一側面においては、光を透過する透過状態、または遮光する遮光状態に制御可能な複数の領域から構成される遮光壁により、第１の空間と、第２の空間とが仕切られ、ユーザの生体情報に基づいて、前記複数の領域のそれぞれの位置の前記透過状態、または前記遮光状態を制御する遮光透過情報が生成され、生成された前記遮光透過情報に基づいて、前記遮光壁の複数の領域の透過状態、または、遮光状態が制御される。
【発明の効果】
【００２７】
本開示の一側面によれば、生体情報に応じて、隠すべきものを目で見えないように隠す、もしくは目で見え難い状態とする、または、見えるようにするべきものを目に入り易い状態にすることが可能となる。
【図面の簡単な説明】
【００２８】
【図１】本開示の遮光装置の概要を説明する図である。
【図２】図１の遮光装置の遮光壁を説明する図である。
【図３】図１の遮光装置の遮光壁を説明する図である。
【図４】本開示の遮光装置の第１の実施の形態の構成例を示す図である。
【図５】図４の遮光装置を実現する機能を説明するブロック図である。
【図６】図５の遮光装置による快適目覚め制御処理を説明するフローチャートである。
【図７】本開示の遮光装置の第２の実施の形態の構成例を示す図である。
【図８】図７の遮光装置を実現する機能を説明するブロック図である。
【図９】図７の遮光装置による快適目覚め制御処理を説明するフローチャートである。
【図１０】図７の遮光装置による情報表示処理を説明するフローチャートである。
【図１１】本開示の遮光装置の第３の実施の形態の構成例を示す図である。
【図１２】図１１の遮光装置を実現する機能を説明するブロック図である。
【図１３】図１１の遮光装置による緊急情報表示処理を説明するフローチャートである。
【図１４】本開示の遮光装置の第４の実施の形態の構成例を示す図である。
【図１５】図１４の遮光装置を実現する機能を説明するブロック図である。
【図１６】図１４の遮光装置によるタイマ表示処理を説明するフローチャートである。
【図１７】本開示の遮光装置の第５の実施の形態を説明する図である。
【図１８】図１７の遮光装置の構成例を示す図である。
【図１９】図１７，図１８の遮光装置を実現する機能を説明するブロック図である。
【図２０】図１７，図１８の遮光装置による会議室残り時間報知処理を説明するフローチャートである。
【図２１】汎用のパーソナルコンピュータの構成例を説明する図である。
【発明を実施するための形態】
【００２９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００３０】
以下、発明を実施するための形態（以下、実施の形態という）について説明する。なお、説明は以下の順序で行う。
１．本開示の遮光装置の概要
２．第１の実施の形態（生体情報に基づいてユーザを快適に目覚めさせる場合の一例）
３．第２の実施の形態（生体情報に基づいて目覚めた後に情報を表示する場合の一例）
４．第３の実施の形態（緊急情報を表示する場合の一例）
５．第４の実施の形態（生体情報に基づいてタイマを表示させる場合の一例）
６．第５の実施の形態（生体情報に基づいて会議室の残り時間を表示させる場合の一例）
【００３１】
＜＜１．本開示の遮光装置の概要＞＞
本開示の遮光装置は、ユーザの生体情報に応じて、隠すべきものを目で見えないように隠す、もしくは目で見え難い状態とする、または、見えるようにするべきものを目に入り易い状態にするものである。
【００３２】
より具体的には、本開示の遮光装置は、図１で示されるように、図中左側の第１の空間と、図中右側の第２の空間とを仕切り、遮光状態、透過状態、または、様々な透過率に変更した状態に制御可能な複数のパネル２１からなる遮光壁１１により構成される。尚、遮光装置の概要を説明する上では、説明を簡略化するため、パネル２１は、遮光状態、または透過状態の２状態のいずれかに切り替えられるものとして説明するものとするが、当然のことながら、パネル２１は、さらに、様々な透過率に変更した状態に制御することも可能である。なお、遮光状態とは、入射する光を一部でも遮光する状態であり、透過状態とは、入射する光を一部でも透過させる状態であり、遮光状態は、少なくとも透過状態と比較して、入射する光の透過率が低い状態であればよい。したがって、例えば、遮光状態におけるパネル２１の透過率は少なくとも透過状態におけるパネル状態の透過率よりも低いものであればよく、遮光状態の透過率は0%以外に10%や30%であってもよく、透過状態の透過率は100%以外に90%や70%であってよい。
【００３３】
遮光壁１１は、例えば、第２の空間に存在する人物Ｈ１，Ｈ２の視点から、第１の空間内に存在する物体Ｂ１を直視できる領域のパネル２１のみを遮光状態に制御し、それ以外の領域のパネル２１を透過状態に制御する。すなわち、図１の遮光装置は、見せたくないものを見せないようにするものである。
【００３４】
より詳細には、図１の遮光装置は、遮光壁１１、カメラ１２−１，１２−２、および制御部１３より構成されている。遮光壁１１は、図中の左部で示される第１の空間と、図中の右部で示される第２の空間とを仕切っている。図１で示されるように、第１の空間内には、第２の空間内に存在する人物Ｈ１，Ｈ２に対して見せたくない（見えない状態に隠しておきたい）物体Ｂ１が存在する。一方、第２の空間内は、人物（例えば、人物Ｈ１，Ｈ２など）が自由に移動できる空間となっている。
【００３５】
遮光壁１１は、例えば、図２で示されるように、複数のパネル２１で構成されている。パネル２１は、例えば、１０ｃｍ×１０ｃｍ程度の大きさの液晶パネルであり、制御部１３により遮光状態または透過状態に制御される。ただし、透過状態は、様々な透過率に制御される状態を含む。尚、パネル２１の大きさは、１０ｃｍ×１０ｃｍ程度の大きさに限るものではなく、この大きさよりも小さくても大きくても良いものである。また、図２において、パネル２１は、方形状のものである例が示されているが、方形状でなくても、その他の形状であっても良く、三角形を含む多角形、円形、または、その他の幾何学図形でもよい。また、パネル２１は、様々な透過率に制御可能な遮光状態、または透過状態のいずれかに制御できれば、液晶パネル以外の構成でもよい。さらに、１枚のパネル２１は、さらに細かい領域に区切って、領域毎に別々の透過率に制御しても良く、換言すれば、遮光状態、または透過状態を制御する最小単位については、パネル２１でも、さらに、細かく区切られた領域であっても良く、パネル単位であるとしてもよいし、領域単位であってもよいものである。ただし、本開示の実施例においては、特に断りがない限り、パネル２１を制御単位として説明を進めるものとする。
【００３６】
尚、図２では、パネル２１は、遮光状態である場合、パネル２１を人物が肉眼で目視しても、パネル２１の反対側に存在する物体を認識する（見る）ことはできない状態とされるものとする。また、パネル２１は、透過状態である場合、パネル２１を人物が肉眼で目視すると、パネル２１の反対側に存在する物体を認識する（見る）ことができる状態とされるものとする。尚、図２においては、透過状態のパネル２１については、「パネル２１」と表記されており、遮光状態のパネル２１については、「パネル２１’」と表記されている。
【００３７】
より具体的には、例えば、遮光壁１１を手前側に置き、遮光壁１１の奥手側に会議室が存在するような場合、パネル２１は、遮光状態に制御されると、図３右部の点線で囲まれる領域Ｗ１内で示されるように、会議室の中が見えない状態（視認できない状態）となる。また、領域Ｗ１以外の領域で示されるように、パネル２１が透過状態に制御されると、会議室の中が見える状態（視認できる状態）となる。
【００３８】
カメラ１２−１，１２−２は、それぞれ上述した第１の空間、および第２の空間を撮像し、撮像した画像を制御部１３に供給する。尚、以降において、カメラ１２−１，１２−２のそれぞれについて、特に区別する必要がない場合、単にカメラ１２と称するものとし、その他の構成についても同様の称するものとする。より詳細には、カメラ１２−１，１２−２は、それぞれ光学ブロック１２ａ−１，１２ａ−２、イメージセンサ１２ｂ−１，１２ｂ−２、および信号処理部１２ｃ−１，１２ｃ−２を備えている。光学ブロック１２ａは、少なくとも１枚以上のレンズより構成され、入射する光を集光し、イメージセンサ１２ｂにおいて合焦させる。イメージセンサ１２ｂは、アレイ状に配置された画素単位で、光学ブロックを介して入射する合焦された光を光量に応じた信号に変換し、信号処理部１２ｃに出力する。信号処理部１２ｃは、各画素より供給されてくる信号に対して、所定の信号処理を加えることで、画素信号からなる画像を生成し、生成した画像を制御部１３に出力する。ここで、カメラ１２−１，１２−２は、それぞれ画像を撮像すると共に、各画素について撮像された被写体の画像内の空間における、カメラ１２−１，１２−２からの距離のデータを含む画像を撮像する。すなわち、カメラ１２−１，１２−２は、いわゆるデプスカメラ（Depth Camera）と呼ばれるカメラの機能を備えている。このため、カメラ１２−１，１２−２により撮像された画像は、通常の画像に加えて、画素単位でカメラ１２−１，１２−２から被写体までの距離の情報を含んでいる。尚、以降において、この画素単位の距離の情報からなる画像については、距離画像と称するものとする。従って、カメラ１２−１，１２−２は、通常の画像を撮像するとともに、距離画像を生成し、制御部１３に供給する。
【００３９】
制御部１３は、１又は複数のCPU（Central Processing Unit）等の制御回路を含んで構成され、カメラ１２−１，１２−２よりそれぞれ供給されてくる、第１の空間、および第２の空間の画像を取得する。制御部１３は、第１の空間の画像と、カメラ１２−１との設置位置および方向の情報とに基づいて、物体Ｂ１の第１の空間内における位置を認識する。また、制御部１３は、第２の空間の画像と、カメラ１２−２との設置位置および方向の情報とに基づいて、物体Ｂ１を見せたくない人物Ｈ１，Ｈ２の目の位置Ｅ１，Ｅ２を特定する。さらに、制御部１３は、物体Ｂ１を見せたくない人物Ｈ１，Ｈ２の目の位置Ｅ１，Ｅ２から物体Ｂ１を目視するときの視線の経路とも言える、物体Ｂ１を見せたくない人物Ｈ１，Ｈ２の目の位置Ｅ１，Ｅ２から物体Ｂ１の光路Ｌ１，Ｌ２を求める。
【００４０】
さらに、制御部１３は、遮光壁１１上のパネル２１のうち、光路Ｌ１，Ｌ２との交点を含むパネル２１を遮光状態に制御し、その他のパネル２１を透過状態に制御する。このように制御することで、第２の空間に存在する人物Ｈ１，Ｈ２に対しては、第１の空間に存在するＢ１を見せない状態を維持しつつ、第２の空間を明るく、開放感のある空間として維持することが可能となる。すなわち、透過状態とは、例えば、図３の左部で示されるように遮光壁１１越しに、その向こう側にある部屋を見ることができる状態となる。一方、遮光状態とは、図３の左部の領域Ｗ１で示されるように、その向こう側の部屋の中を見ることができない状態である。
【００４１】
尚、図１では、光路は、人物Ｈ１，Ｈ２の目Ｅ１，Ｅ２を視点としたときの視線を表現するものとするが、光路は、遮光壁１１に対して透過、または遮光される光の経路を示すものであればよい。従って、光路は、必ずしも視線を示すものでなくともよく、例えば、太陽を光源とする日差しの経路を示すものも光路と称する。そこで、以降の説明においては、遮光壁１１の各パネル２１が透過状態に制御されたときの、遮光壁１１を透過する光の経路については全て光路と称するものとする。
【００４２】
また、物体Ｂ１の空間内の位置が予め認識できている状態であれば、カメラ１２−１は、特に必要なく、カメラ１２−２のみで構成するようにしてもよい。また、太陽を光源とする日差しの場合、地球上では、ほぼ平行光とみなすことができ、方位と遮光壁１１の方向とを認識できれば、光路を求めることができるので、この場合でもカメラ１２−２のみの構成とするようにしてもよい。
【００４３】
さらに、以上においては、所定のユーザに対して遮光壁１１を通して、見せたくないものが見える光路上のパネル２１を遮光状態とし、それ以外のパネル２１を透過状態とする例について説明してきたが、逆に、遮光壁１１を通して、所定のユーザには見せてもいいが、所定のユーザ以外のユーザに対して見せたくない物体がある場合、所定のユーザから物体までの光路上のパネル２１のみを透過状態とし、それ以外のパネル２１を遮光状態とするようにしてもよい。
【００４４】
＜＜２．第１の実施の形態＞＞
＜ユーザを快適に目覚めさせる遮光装置の例＞
上述した遮光壁１１は、パネル２１を透過状態にすると窓ガラスのように使用することができ、遮光状態にすることで、ブラインドとして機能させることもできるものである。そこで、本開示の技術を適用した遮光装置の第１の実施の形態は、上述した遮光壁１１を窓として利用する例について説明する。
【００４５】
図４は、遮光壁１１を窓ガラスとして利用する場合の遮光装置の構成例を示している。図４の遮光装置は、遮光壁１１の各パネル２１を透過状態に設定することで窓として利用できるほか、遮光状態、または透過状態であっても、透過率を変更させることで、ブラインドとして機能させることもできる。この場合、遮光壁１１からなる窓は、ユーザが眠る寝室である室内と、窓の外となる室外とを仕切るものとなる。
【００４６】
また、図４の遮光装置は、遮光壁１１を、例えば、寝室の窓として使用するようにするようにして、就寝時には遮光状態とし、目覚ましのアラーム時刻が設定されているような場合は、ユーザの生体情報である、ユーザの顔の向きと、眠りの深さに対応して遮光壁１１の各パネル２１の遮光状態または透過状態を制御することで、ユーザを快適に目覚めさせるものである。
【００４７】
すなわち、図４の遮光装置は、ユーザの脈拍、体温、血圧、呼吸回数、および寝返りの頻度などのユーザの眠りの状態を求めるための生体情報に基づいて、眠りの深さを求め、アラーム設定時刻近傍であって、ユーザの眠りの浅い目覚め易い時刻を特定し、その特定された時刻に、さらに、顔の向きという生体情報に応じて、目覚めたときに太陽光が視認できるように、遮光壁１１の各パネル２１の遮光状態または透過状態を制御することで、ユーザを快適に目覚めさせる。すなわち、図４の遮光装置は、眠りの深さと、顔の向きという２種類の生体情報に基づいて、目覚め易いタイミングで、目覚めたときに太陽光が視認できるように、遮光壁１１の各パネル２１の遮光状態または透過状態を制御することで、ユーザを快適に目覚めさせる。
【００４８】
尚、目覚めたときに太陽光を視認することは、体内時計をリセットさせ、目覚めを誘導する効果があると言われているので、図４の遮光装置は、このような効果を利用してユーザを快適に目覚めさせるものである。なお、太陽光以外に室外に目覚めを誘発するような光源が存在する場合は、太陽光に変えてその光源を用いても良く、例えば、太陽光の光量に類似させた大光量の照明などを光源として用いるようにしてもよい。
【００４９】
より詳細には、図４の遮光装置は、寝室の窓として使用される遮光壁１１、寝室において就寝しているユーザＨ１１を撮像するカメラ１２、ユーザＨ１１の生体情報を取得する生体センサ３１、およびカメラ１２により撮像された画像、および、生体センサ３１より供給されてくる生体情報に基づいて、遮光壁１１の各パネル２１の遮光状態、透過状態、または、透過率を調整する状態のいずれかに制御する制御部１３とから構成される。
【００５０】
すなわち、寝室で眠っているユーザが、目覚まし機能としてのアラーム時刻を設定するような場合、制御部１３は、眠りに入るときには、窓としての遮光壁１１のパネル２１を遮光状態として暗い、睡眠を導入し易い状態とする。また、制御部１３は、ユーザの、例えば、体温、脈拍、血圧、呼吸回数、又は寝返りの内の一つ又は複数などからなる生体情報を生体センサ３１より取得して、目覚まし機能のアラームとして設定された時刻近傍であって、眠りの浅い、目覚め易い時刻を求める。そして、制御部１３は、カメラ１２により撮像される画僧からユーザＨ１１の顔の向きを求め、太陽４１を光源とする光の入射方向や角度などから、窓としての遮光壁１１の各パネル２１の遮光状態または透過状態を調整することで、ユーザが目覚め易いタイミングで、かつ、太陽光を視認できる状態にして、快適に目覚めさせる。
【００５１】
＜図４の遮光装置を実現させる構成例＞
次に、図５のブロック図を参照して、図４の遮光装置を実現させるための詳細な構成について説明する。尚、窓を構成する遮光壁１１、およびカメラ１２については、図１乃至図３を参照して説明した機能と同一であるので、その説明は適宜省略するものとする。
【００５２】
制御部１３は、位置情報取得部６２、位置情報記憶部６３、時間情報入力部６４、遮光壁方向入力部６５、太陽光入射角度算出部６６、顔検出部６７、遮光透過位置算出部６８、透過率算出部６９、遮光透過記憶部７０、遮光透過制御部７１、アラーム設定部７２、眠り深度算出部７３、および生体情報取得部７４を備えている。
【００５３】
位置情報取得部６２は、図示せぬ複数の衛星からの信号を受信して、受信した信号に従って自らの地球上における位置を、緯度および経度の情報として算出するGPS（Global Positioning System）モジュール６１より供給されてくる遮光壁の地球上における位置を示す緯度および経度の情報を取得して、位置情報記憶部６３に記憶させる。なお、GPS以外に携帯電話基地局や無線LAN（Local Area Network）基地局から受信する信号強度を基に現在位置を取得しても良い。また、ここでの取得処理とはセンサ等によりセンシングデータを得るなど直接的にデータを得ること、送信されたデータを受信すること、記憶媒体に記録されたデータを読み出すことなど、種々の方法で処理されてよい。
【００５４】
位置情報記憶部６３は、例えば、HDD（Hard Disc Drive）、およびSSD（Solid State Drive）などからなり、位置情報取得部６２より供給されてくる緯度および経度の情報を記憶すると共に、必要に応じて、記憶している緯度および経度の情報を太陽光入射角度算出部６６に供給する。
【００５５】
時間情報入力部６４は、現在時刻に対応する時間情報を格納しており、必要に応じて、対応する日付の情報を太陽光入射角度算出部６６に供給する。日付だけでなく、年月日及び時刻の情報が含まれていても良い。
【００５６】
遮光壁方向入力部６５は、カメラ１２により撮像された画像に基づいて、制御部１３に対して遮光壁１１が設けられている方向を読み取り、遮光壁１１の設置方向の情報として太陽光入射角度算出部６６に供給する。
【００５７】
生体情報取得部７４は、生体センサ３１より供給されてくる生体情報を受信して、眠り深度算出部７３に供給する。また、生体情報取得部７４は、カメラ１２より供給されてくる画像より、例えば、ユーザＨ１１の寝返りなどを生体情報として検出し、眠り深度算出部７３に供給する。
【００５８】
生体センサ３１は、例えば、腕時計型のもので、手に巻いて使用するものであり、ユーザの体温、心拍、血圧、および呼吸回数等を生体情報として検出し、検出結果をWifiやブルートゥース（登録商標）などの無線通信により制御部１３の生体情報取得部７４に送信する。尚、生体センサ３１は、腕時計型のものを例としているが、これ以外のものであってもよく、例えば、スマートフォンにアプリケーションプログラムとして内蔵させるものとし、腕に巻いて使用するようにしてもよい。また、生体センサ３１と制御部との通信は、これ以外のものであってもよく、さらには、有線通信などであってもよいが、ユーザの眠りを妨げないものが望ましい。さらに、生体情報は、生体センサ３１により測定されるもの以外のものでもよく、例えば、カメラ１２によりユーザを撮像して、撮像した画像に基づいて得られる、例えば、寝返りなどの生体情報を用いるようにしてもよい。
【００５９】
アラーム設定部７２は、図示せぬ外部操作ボタン等がユーザにより操作されることで外部より入力される設定情報を受け付けて記憶するものであり、目覚まし機能としてのアラームの設定時刻を受け付けて、その時刻の情報を眠り深度算出部７３に供給する。尚、アラーム設定部７２は、必要に応じて、一般的な目覚まし時計のような、設定時刻において、アラーム音を出力する機能を備えるものとしてもよい。
【００６０】
眠り深度算出部７３は、生体情報取得部７４より供給されてくる生体情報と、アラーム設定部７２より供給されてくるアラームの設定時刻の情報とに基づいて、アラームの設定時刻近傍の時刻であって、眠りの浅い、目覚め易い時刻を推定して、太陽光入射角度算出部６６、遮光透過位置算出部６８、および透過率算出部６９に供給する。
【００６１】
太陽光入射角度算出部６６は、位置情報記憶部６３に記憶されている、自らの緯度および経度の情報、時間情報入力部６４からの時間情報、および遮光壁方向入力部６５より供給されてくる遮光壁１１の設置方向の情報に基づいて、太陽４１を光源とする光が、窓としての遮光壁１１を透過する方向である太陽光入射角度を時系列の情報として算出し、遮光透過位置算出部６８、および透過率算出部６９に供給する。
【００６２】
顔検出部６７は、カメラ１２により撮像された画像より、ユーザの顔画像を検出し、顔画像の画像内における位置の情報から、遮光壁１１に対するユーザの顔の空間内の位置の情報を遮光透過位置算出部６８に供給する。
【００６３】
遮光透過位置算出部６８は、太陽光入射角度算出部６６より供給されてくる太陽光入射角度の情報、顔検出部６７より供給されてくるユーザの顔の位置情報、および眠り深度算出部７３からのアラームの設定時刻近傍の時刻であって、眠りの浅い、目覚め易い時刻の情報に基づいて、太陽４１を光源とする光が、ユーザの顔に照射される光路を求め、求められた光路上の遮光壁１１上におけるパネル２１の位置を算出し、遮光透過情報として遮光透過記憶部７０に記憶させる。
【００６４】
すなわち、目覚めるタイミングにおいて、ユーザの目に、太陽光が照射されると、目をつむっている状態でも、目覚めを促すことができるとされている。そこで、遮光透過位置算出部６８は、目覚ましの機能としてアラームが設定された時刻の近傍の時刻であって、目覚め易い眠りの浅い時刻において、太陽４１を光源とする光をユーザの目に照射するため、ユーザの目に光が照射される光路を求め、光路上のパネル２１を透過状態とするように設定する。
【００６５】
透過率算出部６９は、太陽光入射角度算出部６６より供給されてくる太陽光入射角度の情報、および、眠り深度算出部７３からのアラームの設定時刻近傍の時刻であって、眠りの浅い、目覚め易い時刻の情報に基づいて、遮光壁１１において、透過状態とされたパネル２１の透過率を算出し、遮光透過情報として遮光透過記憶部７０に記憶させる。
【００６６】
すなわち、目覚めるときに、太陽４１を光源とする光をユーザの目に照射させることで、目覚めを促す際、太陽光の入射方向に応じて、極度に高い光量や、光量が低すぎて目覚めを促せないような光量とならないように適切な光量となるように透過率を設定させる。
【００６７】
遮光透過情報は、各パネル２１が遮光状態または透過状態のいずれに設定されて登録され、さらに、透過状態のときの透過率の設定が登録された情報である。したがって、遮光透過情報のうち、各パネル２１が遮光状態または透過状態のいずれに設定されるについては、遮光透過位置算出部６８により設定され、この中で、透過状態に設定されたパネル２１の透過率が透過率算出部６９により設定される。また、各パネル２１をより細かい領域に分割して遮光状態または透過状態のいずれかの制御するようにしてもよいものであり、この場合、遮光透過情報は、各領域が遮光状態または透過状態のいずれに設定されるかを示す情報となる。また、遮光透過情報に登録される情報は、遮光状態または透過状態のいずれに設定されるかを示す情報に対応する、透過率、又は遮光率を示す情報であっても良く、例えば、透過率＝１−遮光率として定義するようにしてもよい。
【００６８】
尚、太陽光入射角度によっては、遮光壁１１を介して太陽４１を光源とする光が、ユーザの顔に直接照射できない場合もある。このような場合は、遮光壁１１の全パネル２１を透過状態にして、環境光として光を部屋全体に取り込めるようにすることで、ユーザの目に照射できるようにしてもよい。
【００６９】
遮光透過制御部７１は、遮光透過記憶部７０に記憶されている遮光壁１１における各パネル２１の透過状態または遮光状態の情報、および透過するパネル２１のそれぞれの透過率の情報が登録されている遮光透過情報に応じて、遮光壁１１のパネル２１の遮光状態、および透過率を考慮した透過状態を制御する。
【００７０】
＜図５の遮光装置による快適目覚め制御処理＞
次に、図６のフローチャートを参照して、図５の遮光装置の制御部１３における快適目覚め制御処理について説明する。
【００７１】
ステップＳ１１において、位置情報取得部６２は、GPSモジュール６１を制御して、図示せぬ衛星からの電波により送信されてくる信号に基づいて、自らの地球上の位置の情報である緯度、および経度の情報を測定させ、測定結果を取得すると共に、位置情報記憶部６３に記憶させる。
【００７２】
ステップＳ１２において、遮光壁方向入力部６５は、カメラ１２により撮像された画像に基づいて、画像内の遮光壁１１の画像の位置から、実空間内における遮光壁１１が設置されている方向を求め、遮光壁方向として太陽光入射角度算出部６６に供給する。
【００７３】
ステップＳ１３において、時間情報入力部６４は、記憶している時間情報より、太陽の軌道を特定するための当日の日付の情報を太陽光入射角度算出部６６に供給する。
【００７４】
ステップＳ１４において、太陽光入射角度算出部６６は、位置情報記憶部６３に記憶されている自らの地球上の位置を示す緯度および経度の情報を読み出し、時間情報入力部６４からの時間情報、および遮光壁１１の設置方向とから、遮光壁１１に対する、太陽４１を光源とする光の入射方向の角度である太陽光入射角度を算出し、遮光透過位置算出部６８、および透過率算出部６９に供給する。このとき、太陽光入射角度の情報は、時系列の情報として遮光透過位置算出部６８、および透過率算出部６９に供給される。
【００７５】
ステップＳ１５において、アラーム設定部７２は、現状において、目覚ましのアラームの時刻が設定されているか否かを判定する。ステップＳ１５において、目覚ましのアラームの時刻が設定されていない場合、処理は、終了する。
【００７６】
また、ステップＳ１５において、目覚ましのアラームの時刻が設定されている場合、処理は、ステップＳ１６に進む。
【００７７】
ステップＳ１６において、生体情報取得部７４は、生体センサ３１に対して生体情報を要求し、要求に応じて送信されてくる生体情報を取得し、眠り深度算出部７３に供給する。
【００７８】
尚、生体情報は、生体センサ３１から常時供給されているものとし、生体情報取得部７４が、これらを時系列に記憶するようにして、必要に応じて、記憶している時系列の生体情報を使用するようにしてもよい。また、生体情報取得部７４は、カメラ１２により撮像された画像より寝返りの情報を、生体情報として常時取得し、時系列に記憶して、必要に応じて読み出して使用するようにしてもよい。
【００７９】
ステップＳ１７において、眠り深度算出部７３は、供給されてきた生体情報と、アラーム設定部７２に設定されている目覚ましのアラームの時刻とに基づいて、時系列の眠りの深さを求め、アラームの設定時刻の近傍の時刻であって、眠りが浅く、目覚め易い時刻を算出する。この目覚め易い時刻を以降において起床時刻と称するものとする。
【００８０】
ステップＳ１８において、顔検出部６７は、カメラ１２により撮像される画像よりユーザＨ１１の顔画像を検出し、さらに、検出された顔画像の画像内の位置から、実空間内における遮光壁１１とユーザＨ１１の顔との位置関係から顔の位置を算出し、遮光透過位置算出部６８に供給する。
【００８１】
ステップＳ１９において、遮光透過位置算出部６８は、太陽光入射角度の情報、ユーザの顔の位置の情報、および目覚め易い起床時刻の情報に基づいて、起床時刻に設定された時刻に、ユーザに快適な目覚めを促すために太陽４１を光源とする光を照射できるように、遮光壁１１の各パネル２１を遮光状態、または透過状態のいずれに設定するかを決定し、遮光透過情報として遮光透過記憶部７０に記憶させる。
【００８２】
ステップＳ２０において、透過率算出部６９は、太陽光入射角度の情報、および目覚め易い起床時刻の情報に基づいて、起床時刻に設定された時刻の情報に基づいて、透過するパネルの透過率を設定し、遮光透過情報として遮光透過記憶部７０に記憶させる。
【００８３】
ステップＳ２１において、遮光透過制御部７１は、アラーム設定部７２に設定されているアラームの時刻に基づいて、現在が起床時刻であるか否かを判定し、例えば、起床時刻ではない場合、処理は、ステップＳ１８に戻り、起床時刻になるまで、ステップＳ１８乃至Ｓ２１の処理が繰り返される。すなわち、起床時刻になるまでは、ユーザが寝返りを打つなどしても、起床時刻となったときに、適切に太陽光がユーザの目に照射される状態とする遮光透過情報の設定が直され続ける。
【００８４】
そして、ステップＳ２１において、起床時刻になった場合、処理は、ステップＳ２２に進む。
【００８５】
ステップＳ２２において、遮光透過制御部７１は、遮光透過記憶部７０に記憶されている遮光透過情報、すなわち、遮光壁１１における各パネル２１を、遮光状態または透過状態のいずれかに制御し、透過状態のパネル２１については、さらに、透過率の情報に基づいた透過状態とするように各パネル２１の遮光透過を制御する。
【００８６】
ステップＳ２３において、遮光透過制御部７１は、処理の終了が指示されたか否かを判定し、終了が指示されない場合、処理は、ステップＳ２２に戻り、遮光壁１１における各パネル２１の遮光、または透過の制御がなされる。
【００８７】
そして、ステップＳ２３において、処理の終了が指示されると、処理は、ステップＳ２４に進む。
【００８８】
ステップＳ２４において、遮光透過制御部７１は、遮光壁１１のパネル２１毎に予めユーザにより設定された遮光状態または透過状態となるように遮光壁１１の各パネル２１の遮光透過を制御する。
【００８９】
以上の処理により、生体情報に基づいて、アラームとして設定されている時刻の近傍の時刻であって、眠りが浅く、目覚め易い時刻を起床時刻として設定すると共に、起床時刻に目覚めるように太陽４１を光源とする光をユーザの目に照射できるように、窓として機能する遮光壁１１の各パネル２１の透過状態、または遮光状態を制御するようにしたので、ユーザを快適に目覚めさせるように促すことが可能となる。尚、ユーザがアラーム時刻の近傍の時刻において、既に目覚めていることもあるため、ステップＳ１７乃至Ｓ２１の処理は、以下のような処理としてもよい。すなわち、眠り深度算出部７３は、アラーム時刻までの残り時間が所定時間内となる、アラーム時刻の近傍の時刻になると、これまでに供給されてきた生体情報に基づいて、現在の時刻において、ユーザＨ１１が眠っているのか否か、すなわち、ユーザが睡眠状態であるか否かを判定する。そして、アラーム時刻の近傍の時刻において、睡眠状態ではなく、既に、目覚めている状態の場合については、眠り深度算出部７３は、今現在の時刻を起床時刻に設定する。すなわち、アラーム時刻の近傍の時刻において、既に目覚めているような場合は、アラーム時刻の近傍の時刻で自発的に目覚めていると考えて、現在時刻を起床時刻に設定する。また、アラーム時刻までの残り時間が所定時間内となる、アラーム時刻の近傍の時刻において、睡眠状態であると判定され、目覚めていない場合、眠り深度算出部７３は、これまでに供給されてきた生体情報に基づいて、眠りの深さを、アラーム設定時刻までの時系列の変化として推定する。そして、眠り深度算出部７３は、今現在の時刻からアラーム時刻までの期間のうち、最も眠りが浅い時刻と推定される時刻を起床時刻に設定する。すなわち、生体情報は、眠りの深さを求めるための情報であると共に、睡眠状態であるか否かを求めるための情報であるともいえる。
【００９０】
また、上述した処理と同時に、一般的に使用される目覚ましのアラーム音を発するようにしてもよい。
【００９１】
また、透過状態に設定されるパネル２１については、急激な明るさの変化を避けて、目覚め易い起床時刻となったときから、段階的に透過率を高めていくように変化させるようにしてもよく、このようにすることで、より快適に目覚めるように促すことが可能となる。
【００９２】
以上においては、生体情報に基づいて求められる、目覚め易い時刻、およびユーザの顔の向きの２種類の情報に応じて、起床時刻に遮光壁１１の各パネル２１の遮光透過が制御される例について説明してきたが、生体情報に基づいて求められる目覚め易い時刻の情報、およびユーザの顔の向きのいずれか一方の情報のみを利用するようにしても、一定の効果を得ることが可能である。ただし、ユーザの顔の向きのみを生体情報として利用する場合、起床時刻は、アラーム設定された時刻となる。
【００９３】
さらに、以上においては、ユーザが目覚めるタイミングで太陽光をユーザの目に照射できる状態にすることで、快適に目覚めさせる例について説明してきたが、遮光壁１１のパネル２１の遮光状態および透過状態を制御し、さらに、透過状態のパネル２１について、透過率をも制御することで、その他の演出により快適に目覚めるようにさせてもよい。例えば、遮光壁１１のパネル２１の遮光状態および透過状態を制御し、さらに、透過状態のパネル２１について、透過率を所定の時系列に沿って可変するように制御することで、ユーザの目に木漏れ日のような光が照射されるように演出して、快適に目覚めさせるようにしてもよい。
【００９４】
＜＜３．第２の実施の形態＞＞
以上においては、寝室の窓として遮光壁１１を適用し、生体情報に基づいて、目覚め易い起床時刻を求めると共に、ユーザの顔の向きに応じて、求めた目覚め易い起床時刻に、太陽４１を光源とする光をユーザの目に照射できるように遮光壁１１の各パネル２１の遮光状態または透過状態を制御するようにすることで、ユーザを快適に目覚めさせる遮光装置について説明してきたが、さらに、目覚めたことを検知したところで、遮光壁１１の各パネル２１の遮光状態または透過状態を制御することで、生活に必要とされる情報を提示するようにしてもよい。
【００９５】
すなわち、例えば、図７で示されるように、室外に降雨センサ９１、およびPM（Particulate Matter）2.5測定器９２を設けて、室外に降雨センサ９１、およびPM2.5測定器９２が、それぞれの測定結果を制御部１３に供給する。
【００９６】
そして、上述した一連の処理によりユーザが快適に目覚めるように快適目覚め制御処理がなされる中で、ユーザが目覚めたことを検出したとき、ユーザの視線方向であって、逆光ではない位置、柱などがなく十分に視認できる位置、または、遮光壁１１の辺縁部など、視認し易く、かつ、視界を妨げないような位置に傘マークからなる降雨センサ９１の測定結果マークＤ１、および遮光領域の面積に応じて検出量を示すPM2.5測定器９２の測定結果マークＤ２が、各パネル２１の遮光状態および透過状態により提示できるようにしてもよい。尚、ここでは、ユーザが目覚めたときに提示される情報として、降雨センサ９１およびPM2.5測定器９２により検出された降雨量や、PM2.5の検出量が例として挙げられているが、外部情報であれば、これ以外の情報であってもよいものである。ここで、外部情報は、室外の環境を示す情報であり、例えば、「気温」、「気圧」、「湿度」、「風速」、および「UV（Ultra Violet）強度」などを含むものである。これらの外部情報は、例えば、気温センサ、気圧センサ、湿度センサ、風速センサ、およびUV強度センサなどを設けることで検出することができる。
【００９７】
ただし、図７で示されるような実施例を実現する場合、窓として機能する遮光壁１１を構成するパネル２１のサイズが、傘マークや遮光領域の面積に応じてPM2.5の検出量を示すことができる程度の解像度を実現できるような大きさとすることが前提となる。
【００９８】
尚、この例においては、遮光壁１１の奥手側にユーザに見せたくない物体がある、または、見せたい物体があるといった条件がない状態で、各パネル２１の遮光状態または透過状態が制御されるものではない。しかしながら、各パネル２１が、全体として、傘マークを象って、遮光壁１１の奥手側の所定領域が見えない状態（遮光状態）、または見える状態（透過状態）として制御されることで、遮光壁１１上に見せたいものである傘マークが映し出されて、視認できることになる。したがって、この場合においても、遮光壁１１の各パネル２１を遮光状態または透過状態に制御することで、見えるようにするべきものを目に入り易い状態にしていると考えることができる。また、見せたくないものについては、特定の形状を象った状態で各パネル２１の遮光状態または透過状態を制御しなければ、遮光壁１１上には、映し出されないことになるので、これをもって、見せたくないものを隠す、または、見え難い状態にしていると考えることができる。
【００９９】
＜図７の遮光装置を実現させる構成例＞
次に、図８のブロック図を参照して、図７の遮光装置を実現させるための構成例について説明する。尚、図８の構成において、図５の構成と同一の機能を備えた構成については、同一の符号、および、同一の名称を付すものとし、その説明は適宜省略するものとする。
【０１００】
すなわち、図８の制御部１３において、図５の制御部１３と異なる点は、新たに、目覚め検出部１１１、降雨データ受信部１１２、降雨データ記憶部１１３、PM2.5データ受信部１１４、およびPM2.5データ記憶部１１５を設けた点である。
【０１０１】
目覚め検出部１１１は、生体情報取得部７４より供給されてくる体温、心拍、血圧、呼吸回数、および寝返り等の生体情報を取得し、これらの生体情報に基づいて、アラーム時刻を経過した後、ユーザが目覚めたか否かを検出し、検出結果を遮光透過位置算出部６８、および遮光透過制御部７１に供給する。
【０１０２】
降雨データ受信部１１２は、降雨センサ９１の測定結果である降雨データを受信すると共に降雨データ記憶部１１３に記憶させる。
【０１０３】
PM2.5データ受信部１１４は、PM2.5測定器９２の測定結果であるPM2.5データをPM2.5データ記憶部１１５に記憶させる。
【０１０４】
この処理により、遮光透過位置算出部６８は、目覚め検出部１１１よりユーザが目覚めたことを示す情報を受信すると、降雨データ記憶部１１３、およびPM2.5データ記憶部１１５に格納されている降雨データ、およびPM2.5データを読み出し、図７で示されるような測定結果マークＤ１，Ｄ２を、ユーザの顔の位置の情報に基づいて、視線方向で視認できる位置に表示させるようにパネル２１を制御させるように、遮光状態、または透過状態を設定し、遮光透過記憶部７０に記憶させる。尚、ここでいう、ユーザの顔の位置の情報に基づいて、視線方向で視認できる位置とは、例えば、逆光ではない、および柱や障害物などがなく、視認し易い位置である。例えば、マークは遮光壁全面に対して比較的小さく、遮光壁の端に沿った部分に表示される。
【０１０５】
遮光透過制御部７１は、目覚め検出部１１１よりユーザが目覚めたことを示す情報を受信すると、遮光透過記憶部７０に記憶されている、測定結果マークＤ１，Ｄ２を、ユーザの顔の位置の情報に基づいて、視線方向で視認できる位置に表示させるようにパネル２１を制御するための情報に基づいて、窓としての遮光壁１１のパネル２１を制御する。
【０１０６】
＜図８の遮光装置による快適目覚め処理＞
次に、図９のフローチャートを参照して、図８の遮光装置の制御部１３における快適目覚め制御処理について説明する。尚、図９のフローチャートにおいて、ステップＳ５１乃至Ｓ６２，Ｓ６５，Ｓ６６の処理は、図６のフローチャートにおけるステップＳ１１乃至Ｓ２４の処理と同様であるので、その説明は省略するものとする。
【０１０７】
すなわち、ステップＳ６２において、起床時刻となり、遮光透過制御部７１が、遮光透過記憶部７０に記憶されている遮光透過情報に基づいて、目覚めを促すように窓としての遮光壁１１のパネル２１の透過状態、または遮光状態を制御した後、処理は、ステップＳ６３に進む。
【０１０８】
ステップＳ６３において、目覚め検出部１１１は、生体情報取得部７４より供給されてくる生体情報に基づいて、ユーザが目覚めているか否かを判定し、目覚めていることを検出した場合、処理は、ステップＳ６４に進む。
【０１０９】
ステップＳ６４において、情報表示処理が実行されることにより、遮光壁１１のパネル２１が制御されて、図７における測定結果マークＤ１，Ｄ２が表示される。尚、ステップＳ６３において、ユーザが目覚めていない場合、ステップＳ６４の処理はスキップされる。
【０１１０】
＜情報表示処理＞
ここで、図１０のフローチャートを参照して、図８の遮光装置の制御部１３における情報表示処理について説明する。
【０１１１】
ステップＳ８１において、降雨センサ９１は、降雨量を測定する。
【０１１２】
ステップＳ８２において、降雨センサ９１は、測定結果を降雨データとして降雨データ受信部１１２に供給する。
【０１１３】
ステップＳ８３において、降雨データ受信部１１２は、降雨データを受信して、降雨データ記憶部１１３に記憶させる。
【０１１４】
ステップＳ８４において、PM2.5測定器９２は、PM2.5を測定する。
【０１１５】
ステップＳ８５において、PM2.5測定器９２は、測定結果をPM2.5データとしてPM2.5データ受信部１１４に供給する。
【０１１６】
ステップＳ８６において、PM2.5データ受信部１１４は、PM2.5データを受信して、PM2.5データ記憶部１１５に記憶させる。
【０１１７】
ステップＳ８７において、遮光透過位置算出部６８は、降雨データ記憶部１１３、およびPM2.5データ記憶部１１５に記憶されている、降雨データ、およびPM2.5データを読み出し、降雨データ、およびPM2.5データの情報として測定結果マークＤ１，Ｄ２として提示するために、遮光壁１１のパネル２１の遮光、または透過を制御するためのパネル２１の位置毎の情報を生成し、遮光透過記憶部７０に記憶させる。
【０１１８】
ステップＳ８８において、遮光透過制御部７１は、遮光透過記憶部７０に記憶されている遮光透過情報に基づいて、遮光壁１１の各パネル２１を遮光状態、または透過状態に制御する。
【０１１９】
以上の処理により、生体情報に基づいて、目覚めたことが検出されたタイミングで、遮光壁１１におけるユーザにより視認できる位置に、各パネル２１の遮光状態または透過状態により降雨データやPM2.5データといった情報である測定結果マークＤ１，Ｄ２を表示することが可能となる。尚、図７の測定結果マークＤ１，Ｄ２が表示される範囲内については、その周囲のパネル２１より細かく遮光状態、または透過状態が制御できるよう細かく区分された領域とされているため、周囲と比較して高解像度な表示が可能とされている。また、遮光壁１１のパネル２１の全てが、より細かく遮光状態、または透過状態が制御できるよう細かく区分された領域から構成されるようにしてもよい。
【０１２０】
結果として、目覚めたとき、降雨の状態や外気のPM2.5の検出量を認識できるので、どのような服装を選択するか、マスクが必要になるか、降雨による交通の乱れを考慮して早めに外出するかといった判断をすることが可能となる。
【０１２１】
尚、目覚め検出部１１１は、アラーム時刻を経過した後、ユーザが目覚めたか否かを検出するのに対して、上述した眠り深度算出部７３は、生体情報に基づいて、アラーム時刻までの残り時間が所定時間内である、アラーム時刻の近傍の時刻において睡眠状態であるか否か検出するものである。すなわち、眠り深度算出部７３は、ユーザにより設定されたアラーム時刻より前のタイミングで睡眠状態を検出するのに対して、目覚め検出部１１１は、アラーム時刻が経過した後の目覚めを検出するものである。しかしながら、いずれの構成においても検出されるのは、睡眠状態であるか否か、すなわち、目覚めたか否かであるため、例えば、眠り深度算出部７３により、目覚め検出部１１１を兼用させるようにしてもよい。また、提示する情報が降雨データおよびPM2.5データである例について説明してきたが、遮光壁１１により表現可能な情報であれば、それ以外の情報であってもよく、例えば、インターネットなどを介して入手可能な、株価のチャート、外気温、および天気予報などの外部の環境情報であってもよい。
【０１２２】
また、以上においては、ステップＳ８１乃至Ｓ８６の降雨データおよびPM2.5データを取得して記憶する処理は、上述した処理フローとは独立して、常時、繰り返されるようにして記憶しておくようにしてもよく、目覚めたことが検出された時に、ステップＳ８７，Ｓ８８の処理により記憶されている情報が読み出されるようにしてもよい。
【０１２３】
さらに、上述した測定結果マークＤ１，Ｄ２については、降雨量に合わせて、傘マークの大きさを変化させたり、PM2.5の測定量に応じて、遮光領域の大きさを変化させるようにして、定量的なものが一目で認識できるようにしてもよい。
【０１２４】
また、以上においては、目覚めが検出されたタイミングにおいて、ユーザが視認し易い位置に測定結果マークＤ１，Ｄ２を表示させる例について説明してきたが、例えば、日差しが強い場合については、傘マークなどを遮光したパネル２１で構成し、窓としての遮光壁１１を透過して床などに陰影として写る傘マークを、ユーザが視認できるようにして情報を表示させるようにしてもよい。さらに、目覚めが検出されたときに提示される室外の環境を示す外部情報としては、上述した、降雨量やPM2.5の検出量以外の、「気温」、「気圧」、「湿度」、「風速」、および「UV強度」でもよい。すなわち、例えば、外部情報として「風速」および「UV強度」の情報が提示されることにより、ユーザは目覚めたときに、今日は帽子を被ろうか、長袖にしようかといった判断をすることが可能となる。また、外部情報として「気温」「湿度」および「風速」の情報が提示されることにより、ユーザは、洗濯物をするか否かを判断することが可能となる。尚、この場合、外部情報として洗濯指数の情報を提示するようにしてもよい。さらに、外部情報として「気圧」の情報が提示されることにより、今後の天気予報を予測することも可能となる。或は、外部情報として検出した気圧に基づいて、天気を予測して提示するようにしてもよい。
【０１２５】
＜＜４．第３の実施の形態＞＞
以上においては、生体情報に応じて、目覚めたことが検出できたタイミングで視線方向となる遮光壁１１上に情報を提示する例について説明してきたが、例えば、上述した降雨データやPM2.5データに異常を示す値が示されているような場合については、緊急事態が発生しているものとみなし、生体状態と無関係に提示するようにしてもよい。
【０１２６】
すなわち、降雨センサ９１の測定結果である降雨データが所定の基準値を超える豪雨を示すような場合、例えば、図１１の右部で示されるように、窓としての遮光壁１１の全体や、中央など目立つ視認し易い位置に傘マークを表示して、屋外が豪雨であることを示すようにしてもよい。また、PM2.5測定器９２の測定結果であるPM2.5データが所定の基準値を超える場合、例えば、図１１の左部で示されるように、窓としての遮光壁１１の全体や、中央など目立つ視認し易い位置にPM2.5の測定量を遮光領域の面積として表示して、外気中のPM2.5が異常に多いことを示すようにしてもよい。ここで、外部情報が異常を示していない場合は図７のようにマークは遮光壁１１の前面に対して小さ目に表示されるが、外部情報が異常を示している時は、マークは少なくとも異常を示していない場合の表示よりも大きく、また表示位置も中央寄りの目立つ場所等に表示するなど、通常の表示以上に視認し易くするようにしてもよい。
【０１２７】
＜図１１の遮光装置を実現させる構成例＞
次に、図１２のブロック図を参照して、図１１の遮光装置を実現させるための構成例について説明する。尚、図１２の構成において、図８の構成と同一の機能を備えた構成については、同一の符号、および、同一の名称を付すものとし、その説明は適宜省略するものとする。
【０１２８】
すなわち、図１２の制御部１３において、図８の制御部１３と異なる点は、新たに、緊急情報取得部１３１を設けた点である。
【０１２９】
緊急情報取得部１３１は、降雨データ記憶部１１３、およびPM2.5データ記憶部１１５に記憶されている、降雨データ、およびPM2.5データを読み出し、それらの値が所定の基準値を超えた異常値であるか否かに基づいて、緊急情報であるか否かを判定する。そして、緊急情報である場合、緊急情報取得部１３１は、緊急情報の種別を判別して遮光透過位置算出部６８に供給する。なお、外部情報の値が異常値であるかの判定以外に単に緊急情報の種別から異常事態を判別しても良い。
【０１３０】
遮光透過位置算出部６８は、緊急情報に基づいて、窓としての遮光壁１１の全面に緊急情報を表示するように各パネル２１の遮光状態または透過状態を制御する遮光透過情報を生成し、遮光透過記憶部７０に記憶させる。
【０１３１】
遮光透過制御部７１は、遮光透過記憶部７０に記憶されている遮光透過情報に基づいて、遮光壁１１の各パネル２１の遮光状態、または透過状態を制御することにより、窓としての遮光壁１１の全面に緊急情報を表示する。
【０１３２】
＜緊急情報表示処理＞
次に、図１３のフローチャートを参照して、図１２の遮光装置の制御部１３における緊急情報表示処理について説明する。
【０１３３】
ステップＳ１０１において、緊急情報取得部１３１は、降雨データ記憶部１１３、およびPM2.5データ記憶部１１５に記憶されている、降雨データ、およびPM2.5データを読み出し、それらの少なくともいずれかの値が所定の基準値を超えた異常値であるか否かに基づいて、緊急情報があるか否かを判定し、緊急情報がない場合、同様の処理を繰り返す。
【０１３４】
そして、ステップＳ１０１において、降雨データ、およびPM2.5データの少なくともいずれかの値が所定の基準値を超えた異常値であり、緊急情報があると判定された場合、処理は、ステップＳ１０２に進む。
【０１３５】
ステップＳ１０２において、緊急情報取得部１３１は、降雨データ、およびPM2.5データのうち、少なくとも異常値であるものの種別を判定し、遮光透過位置算出部６８に通知する。
【０１３６】
ステップＳ１０３において、遮光透過位置算出部６８は、降雨データ、およびPM2.5データのうち、指定された種別の情報を読み出し、遮光壁１１の全体にその情報を表示するための遮光壁１１の各パネル２１の遮光、または透過を制御する遮光透過情報を生成し、遮光透過記憶部７０に記憶させる。
【０１３７】
ステップＳ１０４において、遮光透過制御部７１は、遮光透過情報に基づいて、遮光壁１１の各パネル２１の透過または遮光を制御することにより、例えば、図１１の右部で示されるように、豪雨であることを示す緊急情報を表示したり、図１１の左部で示されるように、異常な量のPM2.5が測定されていることを表示させることが可能となる。
【０１３８】
以上の処理により、測定している降水量やPM2.5における異常値が検出されるときには、迅速に提示することが可能となる。
【０１３９】
尚、この処理は、上述した快適目覚め制御処理よりも優先する独立した処理とすることで、緊急情報の表示を優先的にさせることが可能となり、危険をより迅速にユーザに提示することが可能となる。また、以上においては、降水量やPM2.5の異常値のみを表示する例について説明してきたが、インターネットなどから外部情報を取得して、地震や津波の発生などを、遮光壁１１に表示するようにしても良い。
【０１４０】
＜＜５．第４の実施の形態＞＞
以上においては、生体情報に応じて、快適な目覚めを促す、または、目覚めたことが検出できたタイミングで視線方向となる遮光壁１１上に情報を提示する例、および緊急情報を提示する例について説明してきたが、例えば、生体情報に応じて、遮光壁１１をタイマとして機能させるようにしてもよい。
【０１４１】
すなわち、例えば、遮光壁１１が洗面所付近に設けられている場合、図１４で示されるように、制御部１３は、ユーザＨ３１が、電動歯ブラシ１７１を充電スタンド１７２から取り出したタイミングを、ユーザＨ３１による歯のブラッシング（いわゆる、歯磨き）を開始する生体情報として検出する。そして、制御部１３は、この歯のブラッシングの開始を示す生体情報が検出されたタイミングから、ブラッシングの経過時間を示す情報を、遮光壁１１のパネル２１の遮光状態または透過状態を制御することで表現することでタイマとして機能させる。尚、図１４においては、遮光壁１１における三角形のパネル２１の透過状態および遮光状態を制御することにより、複数のパネル２１がモザイク状に用いられることで砂時計を模したタイマの模様が表示される例が示されている。
【０１４２】
ユーザは、このモザイク状の砂時計を模した遮光壁１１に表示されるタイマの経過時間を目安にして歯をブラッシングすることで、適切なブラッシング時間を確保することが可能となる。
【０１４３】
尚、図１４においては、遮光壁１１を構成するパネル２１が三角形で構成される例が示されているが、それ以外の形であってもよく、タイマとして経過時間が視覚的に認識し易いものであれば、他の形状であってもよいものである。
【０１４４】
また、歯のブラッシングが開始されるタイミングを示す生体情報については、電動歯ブラシ１７１が充電スタンド１７２から取り出されるタイミング以外であってもよく、例えば、カメラ１２により撮像される画像から、ユーザが電動歯ブラシ１７１を持ったタイミングとするようにしてもよいし、これらを組み合わせていずれかが検出された場合としてもよい。画像を用いて歯のブラッシングが開始されたか否かを判定する方法であれば、電動ではない歯ブラシでも対応することが可能である。
【０１４５】
＜図１４の遮光装置を実現させる構成例＞
次に、図１５のブロック図を参照して、図１４の遮光装置を実現させるための構成例について説明する。尚、遮光壁１１、およびカメラ１２の構成については、図１におけるものと同様であるので、その説明は省略するものとする。
【０１４６】
図１５の制御部１３は、画像取得部２０１、生体情報取得部２０２、動作判定部２０３、タイマ２０４、遮光透過位置算出部２０５、遮光透過記憶部２０６、および遮光透過制御部２０７を備えている。尚、遮光透過記憶部２０６、および遮光透過制御部２０７は、基本的に、遮光透過記憶部７０、および遮光透過制御部７１と同一のものであるので、その説明は適宜省略するものとする。
【０１４７】
画像取得部２０１は、カメラ１２において撮像された画像を取得し、生体情報取得部２０２に供給する。
【０１４８】
生体情報取得部２０２は、画像取得部２０１より供給されてくる画像を生体情報として取得し、ユーザが電動歯ブラシ１７１を取って使用しているか否かを判定する。また、生体情報取得部２０２は、充電スタンド１７２の充電状態に基づいて、電動歯ブラシ１７１が取り出されて、使用されている状態であるか否かを判定する。そして、生体情報取得部２０２は、これらの判定結果を生体情報として動作判定部２０３に供給する。
【０１４９】
動作判定部２０３は、これらの判定結果に基づいて、ブラッシングが開始されたか否かを判定する。すなわち、例えば、動作判定部２０３は、これらの判定結果のうち、少なくともいずれかにおいて電動歯ブラシ１７１の使用が認められれば、ブラッシングが開始されたものとみなし、タイマ２０４の動作を開始させる。
【０１５０】
タイマ２０４は、所定の設定時間だけ、カウントされるカウント値の情報を遮光透過位置算出部２０５に供給する。
【０１５１】
遮光透過位置算出部２０５は、基本的に、遮光透過位置算出部６８と同一のものであるが、ここでは、遮光壁１１上の所定位置に、例えば、砂時計などを象ったタイマとして視認し易い模様として表示できるように、遮光壁１１の各パネル２１の遮光または透過を制御する遮光透過情報を生成し、遮光透過記憶部２０６に記憶させる。
【０１５２】
＜図１５の遮光装置によるタイマ表示処理＞
次に、図１６のフローチャートを参照して、図１５の遮光装置の制御部１３におけるタイマ表示処理について説明する。
【０１５３】
ステップＳ１３１において、生体情報取得部２０２は、画像取得部２０１より、カメラ１２により撮像されるユーザの画像を生体情報として取得する。このとき、生体情報取得部２０２は、生体情報としての画像内のユーザが電動歯ブラシ１７１を把持しているか否かを判定し、判定結果を動作判定部２０３に供給する。
【０１５４】
ステップＳ１３２において、生体情報取得部２０２は、充電スタンド１７２において、電動歯ブラシ１７１が接続された充電可能な状態であるか否かの情報を生体情報として検出して、電動歯ブラシ１７１が充電スタンド１７２から取り出されて、使用されているか否かを判定し、判定結果を動作判定部２０３に供給する。
【０１５５】
ステップＳ１３３において、動作判定部２０３は、生体情報に基づいた、生体情報取得部２０２からの判定結果に基づいて、ユーザがブラッシングを開始しているか否かを判定する。より具体的には、動作判定部２０３は、生体情報としての画像に基づいた判定結果、および、生体情報としての充電スタンド１７２の充電状態に基づいた判定結果の少なくともいずれかにおいて、電動歯ブラシ１７１が使用されているとみなされる場合、ブラッシングの使用が開始されたものとみなす。この場合、処理は、ステップＳ１３４に進む。
【０１５６】
ステップＳ１３４において、動作判定部２０３は、タイマ２０４のカウントを開始させる。
【０１５７】
ステップＳ１３５において、タイマ２０４は、カウントしているカウント値を遮光透過位置算出部２０５に供給する。
【０１５８】
ステップＳ１３６において、遮光透過位置算出部２０５は、タイマ２０４より供給されてくるカウント値に基づいて、タイマとして、例えば、砂時計を象った模様のように表示させるために、遮光壁１１の各パネル２１の遮光状態または透過状態を制御する遮光透過情報を生成して遮光透過情報を遮光透過記憶部２０６に記憶させる。
【０１５９】
ステップＳ１３７において、遮光透過制御部２０７は、遮光透過制御部２０６に記憶されている遮光透過情報に基づいて、遮光壁１１の各パネル２１の遮光状態または透過状態を制御する。
【０１６０】
ステップＳ１３８において、遮光透過位置算出部２０５は、タイマによるカウントが終了しているか否かを判定し、終了していない場合、処理は、ステップＳ１３５に戻る。すなわち、タイマ２０４によるカウントが終了するまで、ステップＳ１３５乃至Ｓ１３７の処理が繰り返されて、順次カウント値の変化に応じて遮光壁１１のパネル２１の遮光状態または透過状態が制御されて、砂時計を象った模様のようなタイマの表示が時間の経過に伴って変化しながら表示され続ける。
【０１６１】
そして、ステップＳ１３８において、タイマ２０４のカウントが終了すると処理は、ステップＳ１３９に進む。
【０１６２】
ステップＳ１３８において、遮光透過制御部２０６は、予め設定されている状態に遮光壁１１の各パネル２１を遮光、または透過状態に制御して、処理を終了する。
【０１６３】
尚、ステップＳ１３３において、電動歯ブラシ１７１によるブラッシングが開始されていないとみなされた場合、処理は、ステップＳ１３８に進む。
【０１６４】
以上の処理により、生体情報に基づいて、ユーザが電動歯ブラシ１７１を使用して歯のブラッシングが開始されたか否かが判定され、ブラッシングが開始されたものとみなされると、遮光壁１１にブラッシングが開始されてからの経過時間を示すタイマが表示されるので、適切な歯のブラッシングを実現させることが可能となる。
【０１６５】
尚、以上においては、生体情報に基づいて、歯のブラッシングの開始を検出し、検出したタイミングからタイマ表示させる例について説明してきたが、ユーザが何らかの活動を開始したことを生体情報として検出し、開始したタイミングからの経過時間が提示できれば、その他の活動に対するタイマとして適用してもよい。例えば、遮光壁１１を浴室の窓として設定し、入浴に際して、バスタブの水位を生体情報として計測して、急激に水位が上昇する場合には、バスタブにユーザが入浴を開始したものとみなし、入浴が開始されたタイミングからの経過時間を遮光壁１１としての窓上にタイマとして表示させるようにしてもよい。ただし、この場合、遮光壁１１の各パネル２１は、透過状態でも曇りガラスのような状態とする。さらに、以上においては、砂時計を象った模様として表示される例が示されているが、それ以外のものを象った模様としてタイマを表示させてもよい。
【０１６６】
＜＜６．第５の実施の形態＞＞
以上においては、生体情報に応じて、遮光壁１１を用いてタイマとして機能させるようにする例について説明してきたが、会議室と通路とを仕切る壁面として遮光壁１１を用いて、使用中の場合には、遮光状態とすることで会議室の壁として使用し、会議室の利用時間の終了が迫ってくると段階的に透過する領域を広げるようにして、終了時間となるタイミングで、全体が透過状態になるようにしてもよい。
【０１６７】
すなわち、図１７の左部で示されるように、図中の右側の会議室（の室内）と、図中の左側の通路（会議室の室外）との境界となる壁が遮光壁１１で構成されており、会議室として利用する状態では、遮光壁１１の領域Ｚ１１乃至Ｚ１５の全てが遮光状態とされている。そして、会議室の利用時間の終了時刻が迫ってくると、図１７の右部で示されるように、遮光壁１１の遮光状態に制御されるパネル２１から構成される領域Ｚ１１乃至Ｚ１５が、透過状態に制御されるパネル２１からなる領域Ｚ３１乃至Ｚ３５と、遮光状態に制御されるパネル２１からなる領域Ｚ２１乃至Ｚ２５とされる。さらに、時間の経過に従って、この透過状態に制御されたパネル２１からなる領域Ｚ３１乃至Ｚ３５が、図中の下方向に広がっていき、終了時刻においては、全体が透過状態に制御されたパネル２１からなる領域Ｚ３１乃至Ｚ３５となるように制御される。
【０１６８】
この際、図１８で示されるように、制御部１３は、通路側に設けられたカメラ１２により撮像されるデプス画像より求められる、通行人Ｈ５２の身長の情報を生体情報として取得し、会議室が利用できる時間内においては、通行人Ｈ５２の身長から、通行人Ｈ５２が会議室内のユーザＨ５１を視認できないようにする。
【０１６９】
尚、図１８は、図１７の右部における遮光壁１１を境界とした通路と会議室との関係を示しており、領域Ｚ２１，Ｚ３１に対応する部分の垂直断面である。
【０１７０】
すなわち、制御部１３は、通行人Ｈ５２の身長の情報に基づいて、遮光壁１１における通行人Ｈ５２の身長より高い領域Ｚ３１の高さｈを求め、会議室の利用時間の終了時刻が迫ってくると、時間の経過に従って、図１８の右上部で示されるように、左から右に向かって時系列に、全面が遮光状態の領域Ｚ１１から、次のタイミングでは、高さｈ１の透過状態の領域Ｚ３１と遮光状態の領域Ｚ２１とし、その次のタイミングでは、高さｈ２（＞ｈ１）の透過状態の領域Ｚ３１と遮光状態の領域Ｚ２１とし、終了時刻となる時点で、高さｈの透過状態の領域Ｚ３１と遮光状態の領域Ｚ２１とする。
【０１７１】
このように制御することで、会議室を利用するユーザは、遮光壁１１の透過状態の領域が増えていくことで、会議室の使用時間終了時刻が迫っていることを認識することが可能となる。この際、終了時刻までは、通路側の通行人Ｈ５２から、ユーザＨ５１にとって見せたくない会議室内を視認することはできないので、安心して会議室を利用することができる。また、会議室の利用時間の終了時刻以降については、通路側の通行人Ｈ５２から会議室内が視認できる状態となるため、会議室の利用者に対して会議室の利用の終了を促すことが可能となる。
【０１７２】
＜図１７，図１８の遮光装置を実現させる構成例＞
次に、図１９のブロック図を参照して、図１７，図１８の遮光装置を実現させるための構成例について説明する。尚、遮光壁１１、およびカメラ１２の構成については、図１におけるものと同様であるので、その説明は省略するものとする。
【０１７３】
図１９の制御部１３は、会議室予約情報取得部２４１、会議開始/終了演出設定部２４２、画像取得部２４３、生体情報取得部２４４、遮光透過位置算出部２４５、遮光透過記憶部２４６、および遮光透過制御部２４７を備えている。尚、遮光透過記憶部２４６、および遮光透過制御部２４７は、基本的に、遮光透過記憶部７０、および遮光透過制御部７１と同一のものであるので、その説明は適宜省略するものとする。
【０１７４】
会議室予約情報取得部２４１は、外部に設けられており、会議室の予約を受けつける会議室予約システム２３１より、制御部１３が設けられている会議室の会議室予約情報を取得し、会議開始/終了演出設定部２４２に供給する。
【０１７５】
会議開始/終了演出設定部２４２は、会議室予約情報に基づいて、会議室の利用開始時刻、および終了時刻から所定時間だけ前の時刻からの演出を遮光透過位置算出部２４５に指示する。より具体的には、会議開始/終了演出設定部２４２は、会議室の利用開始時刻においては、遮光壁１１の全てのパネル２１を遮光状態とする演出をするように遮光透過位置算出部２４５に指示する。また、会議開始/終了演出設定部２４２は、利用終了時刻より所定時間だけ前のタイミングから終了時刻までは、透過状態のパネル２１から構成される領域を時系列に、かつ、段階的に広くしていき、終了時刻以降は、全パネル２１を透過状態にするように指示する。
【０１７６】
画像取得部２４３は、通路に設けられているカメラ１２により撮像された通行人Ｈ５２のデプス画像を取得し、生体情報取得部２４４に供給する。
【０１７７】
生体情報取得部２４４は、デプス画像より、通行人Ｈ５２の身長を生体情報として求めて取得し、遮光透過位置算出部２４５に供給する。
【０１７８】
遮光透過位置算出部２４５は、遮光壁１１のパネル２１の遮光または透過を、会議開始/終了演出設定部２４２から指示された演出に応じて制御する。この際、遮光透過位置算出部２４５は、生体情報取得部２４４より供給されてくる通行人Ｈ５２の身長の情報に基づいて、会議室の終了時刻までの演出において、通行人Ｈ５２により会議室内が視認できないように考慮しつつ、透過状態の範囲を段階的に広くする。
【０１７９】
＜図１７，図１８の遮光装置による会議室残り時間報知処理＞
次に、図２０のフローチャートを参照して、図１７，図１８の遮光装置の制御部１３における会議室残り時間報知処理について説明する。
【０１８０】
ステップＳ１６１において会議室予約情報取得部２４１は、会議室予約システム２３１より自らが設置されている会議室の使用開始時刻および使用終了時刻の情報からなる予約情報を取得し、会議開始/終了演出設定部２４２に供給する。
【０１８１】
ステップＳ１６２において、会議開始/終了演出設定部２４２は、予約情報に基づいて、今現在が、会議室の利用開始時刻であるか否かを判定し、開始時刻であるとみなされるまで、同様の処理を繰り返す。ステップＳ１６２において、開始時刻になったとみなされた場合、処理は、ステップＳ１６３に進む。
【０１８２】
ステップＳ１６３において、会議開始/終了演出設定部２４２は、会議室の開始時の演出をするように遮光透過位置算出部２４５に指示する。この指示に応じて、遮光透過位置算出部２４５は、会議室の開始時刻の演出として、遮光壁１１のパネル２１の全てを遮光状態とするように制御する遮光透過情報を生成し、遮光透過記憶部２４６に格納する。
【０１８３】
ステップＳ１６４において、遮光透過制御部２４７は、遮光透過記憶部２４６に記憶されている遮光透過情報に基づいて遮光壁１１の各パネル２１を制御して、全体を遮光する。
【０１８４】
ステップＳ１６５において、会議開始/終了演出設定部２４２は、今現在が会議室の終了時刻までの残り時間が時間Tであるか否かを判定し、残り時間が時間Ｔではない場合、処理は、ステップＳ１６４に戻る。すなわち、残り時間が時間Tとなるまで、ステップＳ１６４，Ｓ１６５の処理が繰り返されて、遮光壁１１の全パネル２１が遮光状態のまま継続される。
【０１８５】
ステップＳ１６５において、今現在が会議室の終了時刻までの残り時間が時間Ｔであるとみなされた場合、処理は、ステップＳ１６６に進む。
【０１８６】
ステップＳ１６６において、画像取得部２４３は、カメラ１２により撮像された通路側の通行人Ｈ５２を含むがデプス画像を取得し、生体情報取得部２４４に供給する。このとき、会議開始/終了演出設定部２４２は、会議室利用終了時刻までの残り時間を表示する演出をするように遮光透過位置算出部２４５に指示する。
【０１８７】
ステップＳ１６７において、生体情報取得部２４４は、取得したデプス画像から、通行人Ｈ５２の身長を求めて、生体情報として遮光透過位置算出部２４５に供給する。
【０１８８】
ステップＳ１６８において、遮光透過位置算出部２４５は、遮光壁１１の高さと、通行人Ｈ５２の身長から、遮光壁１１において透過状態にすることが可能な図１８における高さhを算出する。
【０１８９】
ステップＳ１６９において、遮光透過位置算出部２４５は、直前の遮光領域の高さから、h/nだけ低い高さまでを透過状態に設定する遮光透過情報を生成し、遮光透過記憶部２４６に格納する。これに応じて、遮光透過制御部２４７は、遮光透過記憶部２４６に記憶されている遮光透過情報に基づいて、遮光壁１１の各パネル２１を制御して、直前の遮光領域の高さから、h/nだけ低い高さまでを透過状態にする。尚、ここで、nは、分割ステップ数であり、時間Tの間に透過状態の領域の高さを変更する回数であり、任意に設定することができる。
【０１９０】
ステップＳ１７０において、遮光透過位置算出部２４５は、所定時間T/nが経過したか否かを判定し、経過するまで、同様の処理を繰り返す。そして、ステップＳ１７０において、所定時間T/nが経過した場合、処理は、ステップＳ１７１に進む。
【０１９１】
ステップＳ１７１において、遮光透過位置算出部２４５は、会議室の終了時刻となったか否かを判定し、終了時刻ではない場合、処理は、ステップＳ１６９に戻る。すなわち、会議室の利用時間の終了時刻になるまで、ステップＳ１６９乃至Ｓ１７１の処理が繰り返されて、所定時間T/nの間隔で、遮光状態のパネル２１の領域が、上から高さh/nずつ透過状態にされる処理が、繰り返される。そして、ステップＳ１７１において、会議室の終了時刻になったとみなされた場合、処理は、ステップＳ１７２に進む。
【０１９２】
ステップＳ１７２において、遮光透過制御部２４６は、遮光壁１１の各パネル２１を全て透過状態に制御して、処理を終了する。
【０１９３】
以上の処理により、会議室の利用開始時刻になると遮光壁１１の全体が遮光状態とすることができ、会議室としての利用が可能であることをユーザに認識させることが可能となる。
【０１９４】
また、終了時刻から時間Tだけ前のタイミングから、所定時間T/nの時間間隔で、遮光状態とされた上から高さh/nずつ透過状態に変更されて、徐々に透過領域を広げることで、会議室の利用者に対して利用時間の終了時刻が迫っていることを報知することが可能となる。
【０１９５】
この際、生体情報として通路側の通行人５２の身長に基づいて、会議室の利用時間内における透過領域の範囲が設定されるので、通行人に対して確実に会議室内を視認できないように設定しつつ、会議室の終了時刻が迫っていることを報知することが可能となる。
【０１９６】
さらに、会議室の利用可能な終了時刻が経過すると遮光壁１１の全体が透過状態に制御されることで、会議室の利用者に対して終了時刻を迎えていることを提示すると共に、会議室の利用終了を促すことが可能となる。
【０１９７】
尚、以上においては、会議室の利用時間における残り時間を報知する例について説明してきたが、時間により占有使用するような空間であれば、会議室以外であってもよく、例えば、リハーサルスタジオやカラオケボックスなど時間貸ししている部屋などでも同様に使用することが可能である。
【０１９８】
また、通路側に通行人が存在しない場合は、生体情報である通行人の身長を０とすることで、高さｈを、遮光壁１１の高さそのものとしてもよい。さらに、通行人が複数に存在するような場合については、複数の通行人のうち、最も背の高い人物の身長を生体情報として使用するようにしてもよい。
【０１９９】
＜ソフトウェアにより実行させる例＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２００】
図２１は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０２０１】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０２０２】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０２０３】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０２０４】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０２０５】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０２０６】
尚、図２１におけるCPU１００１が、例えば、図５における制御部１３であり、入力部１００６を介してGPSモジュール６１より供給される位置情報、およびカメラ１２より供給されるデプス画像の入力を受け付けると共に、通信部１００９を介して生体センサ３１からの生体情報を受信することで、上述した一連の処理を実行した後、出力部１００７より遮光壁１１を制御する信号を出力する。
【０２０７】
また、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０８】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０９】
なお、本開示の実施の形態は、上述した実施の形態に限定されるものではなく、本開示の要旨を逸脱しない範囲において種々の変更が可能である。
【０２１０】
例えば、本開示は、１つの機能をネットワークを介して複数の装置で分担、共同して処理するクラウドコンピューティングの構成をとることができる。
【０２１１】
また、上述のフローチャートで説明した各ステップは、１つの装置で実行する他、複数の装置で分担して実行することができる。
【０２１２】
さらに、１つのステップに複数の処理が含まれる場合には、その１つのステップに含まれる複数の処理は、１つの装置で実行する他、複数の装置で分担して実行することができる。
【０２１３】
尚、本開示は、以下のような構成も取ることができる。
＜１＞  第１の空間と、第２の空間とを仕切り、光を透過する透過状態、または遮光する遮光状態に制御可能な複数の領域から構成される遮光壁と、
ユーザの生体情報に基づいて、前記複数の領域のそれぞれの位置の前記透過状態、または前記遮光状態を制御する遮光透過情報を生成する遮光透過情報生成部と、
前記遮光透過情報生成部により生成された前記遮光透過情報に基づいて、前記遮光壁の複数の領域の透過状態、または、遮光状態を制御する制御部と
を含む遮光装置。
＜２＞  前記遮光壁は室内と室外とを仕切る窓であり、
前記ユーザが前記室内において睡眠中であるか否かを示す生体情報として取得する生体情報取得部をさらに含み、
前記遮光透過情報生成部は、前記生体情報取得部により取得された、前記ユーザが睡眠中であるか否かに基づいて、前記室外に存在する光源からの光を前記室内の特定位置に照射するように、前記複数の領域のそれぞれの位置の前記透過状態、または前記遮光状態を制御する遮光透過情報を生成する
＜１＞に記載の遮光装置。
＜３＞  前記生体情報は、前記ユーザの睡眠中の顔の向きを示す情報をさらに含み、
前記遮光透過情報生成部は、前記ユーザが目覚ましを目的としたアラーム時刻を設定している場合、前記生体情報に基づいて、前記ユーザの睡眠中の顔の向きに基づいて、前記アラーム時刻において、前記室外に存在する光源からの光である、太陽を光源とする光を、前記室内の特定位置である、前記ユーザの目に照射するように、前記複数の領域のそれぞれの位置の前記透過状態、または前記遮光状態を制御する遮光透過情報を生成する
＜２＞に記載の遮光装置。
＜４＞  前記生体情報は、前記ユーザの眠りの状態を求めるための情報をさらに含み、
自らの位置である緯度および経度の情報、前記遮光壁の向き、時刻情報に基づいて、前記遮光壁の各領域に入射する前記太陽を光源とする光の入射角度を太陽光入射角度として算出する太陽光入射角度算出部をさらに含み、
前記ユーザが前記室内において睡眠中であるか否かを示すと共に、前記ユーザの眠りの状態を求めるための生体情報に基づいて、前記アラーム時刻の近傍の時刻において睡眠中であるか否かを判定し、さらに、睡眠中であるとき、前記眠りの浅い、目覚め易い時刻を求める眠り深度算出部をさらに含み、
前記遮光透過情報生成部は、前記ユーザの睡眠中の顔の向きを示す情報を示す生体情報と、前記太陽光入射角度情報とに基づいて、前記アラーム時刻に対応する、前記眠りの浅い、目覚め易い時刻おいて、前記太陽を光源とする光を、前記ユーザの目に照射するように、前記複数の領域のそれぞれの位置の前記透過状態、または前記遮光状態を制御する遮光透過情報を生成する
＜３＞に記載の遮光装置。
＜５＞  前記ユーザの眠りの状態を求めるための生体情報は、ユーザの脈拍、体温、血圧、呼吸回数、又は寝返りの頻度の情報を含む
＜４＞に記載の遮光装置。
＜６＞  前記睡眠中のユーザを撮像する撮像部をさらに含み、
前記生体情報取得部は、前記撮像部により撮像された画像に基づいて、前記寝返りの頻度の情報を生体情報として取得する
＜５＞に記載の遮光装置。
＜７＞  外部情報を取得する外部情報取得部と、
前記ユーザの眠りの状態を求めるため生体情報に基づいて、前記ユーザの前記アラーム時刻以降における目覚めを検出する目覚め検出部をさらに含み、
前記目覚め検出部により前記アラーム時刻以降において目覚めが検出された場合、前記遮光透過情報生成部は、前記外部情報に基づく表示を前記ユーザが視認できるように、前記複数の領域のそれぞれの位置の前記透過状態、または前記遮光状態を制御する遮光透過情報を生成する
＜１＞記載の遮光装置。
＜８＞  前記外部情報取得部は、降雨センサにより測定される降雨量に基づいた降雨データ、又はPM2.5測定器により測定されるPM2.5の測定量であるPM2.5データを含む外部情報を取得し、
前記目覚め検出部により目覚めが検出された場合、前記遮光透過情報生成部は、前記ユーザの顔の向きに基づいて、前記外部情報としての前記降雨データおよび前記PM2.5データに対応する測定結果に応じた表示を視認できるように、前記複数の領域のそれぞれの位置の前記透過状態、または前記遮光状態を制御する遮光透過情報を生成する
＜７＞に記載の遮光装置。
＜９＞  前記遮光透過情報生成部は、前記外部情報に基づく表示を、前記室外に存在する光源からの光が前記ユーザにとって逆光とならない、前記遮光壁上の位置で視認できるように、前記複数の領域のそれぞれの位置の前記透過状態、または前記遮光状態を制御する遮光透過情報を生成する
＜７＞に記載の遮光装置。
＜１０＞  前記外部情報が異常な状態を示すか否かを判定する異常判定部をさらに含み、
前記異常判定部により異常であるか否かに応じて、前記遮光透過情報生成部は、前記外部情報に基づく表示が異なる位置又は大きさで前記遮光壁上に表示されるように、前記複数の領域のそれぞれの位置の前記透過状態、または前記遮光状態を制御する遮光透過情報を生成する
＜７＞に記載の遮光装置。
＜１１＞  前記太陽光入射角度情報に基づいて、前記ユーザが視認する前記太陽を光源とする光の光量を調整するため、前記遮光透過情報において、前記透過状態に制御される前記複数の領域における透過率を設定し、前記遮光透過情報に付加する透過率設定部をさらに含む
＜４＞に記載の遮光装置。
＜１２＞  前記ユーザの所定の活動の開始を示す生体情報を取得する生体情報取得部をさらに含み、
前記遮光透過情報生成部は、前記生体情報取得部により取得された、前記ユーザの所定の活動が開始されたタイミングからの経過時間を視認できるように、前記複数の領域のそれぞれの位置の前記透過状態、または前記遮光状態を制御する遮光透過情報を生成する
＜１＞に記載の遮光装置。
＜１３＞  前記生体情報取得部は、前記ユーザの所定の活動が開始されたことを示す生体情報として、歯のブラッシングの開始を示す生体情報を取得し、
前記遮光透過情報生成部は、前記生体情報取得部により取得された、前記ユーザの歯のブラッシングが開始されたタイミングからの経過時間を、砂時計を象った模様として、視認できるように、前記複数の領域のそれぞれの位置の前記透過状態、または前記遮光状態を制御する遮光透過情報を生成する
＜１２＞に記載の遮光装置。
＜１４＞  ユーザの画像を撮像する撮像部と、
前記ユーザの歯のブラッシングに使用される電動歯ブラシの充電スタンドとをさらに含み、
前記生体情報取得部は、前記撮像部により撮像された画像において、前記ユーザが歯ブラシを把持したか否かを判定すると共に、前記充電スタンドにおいて前記電動歯ブラシが接続されて充電できる状態であるか否かを判定し、前記判定結果に基づいて、前記画像において前記電動歯ブラシが前記ユーザにより把持されているとき、および、前記充電スタンドにおいて前記電動歯ブラシが接続されておらず、充電できない状態であるときの少なくともいずれかであるとき、前記歯のブラッシングの開始を示す生体情報を取得する
＜１２＞に記載の遮光装置。
＜１５＞  前記第１の空間は、室内であり、前記第２の空間は、室外であり、前記遮光壁が、前記室内と、前記室外とを仕切る壁であり、
前記室外に存在する人物の身長を生体情報として取得する生体情報取得部をさらに含み、
前記遮光透過情報生成部は、
前記室内の利用可能時間の開始時刻において、
前記複数の領域を全て遮光状態に制御する遮光透過情報を生成し、
前記室内の利用可能時間の終了時刻から所定の時間だけ前の時刻において、
前記生体情報取得部により取得された、前記人物の身長の情報に基づいて、前記複数の領域のうち、前記遮光壁における、前記身長より高い領域の前記複数の領域を前記透過状態に制御する遮光透過情報を生成する
＜１＞に記載の遮光装置。
＜１６＞  前記室内が利用可能時間の終了時刻から所定の時間だけ前の時刻以降において、前記遮光透過情報生成は、前記生体情報取得部により取得された、前記人物の身長の情報に基づいて、前記複数の領域のうち、前記遮光壁における、前記身長より高い遮光状態に制御された前記複数の領域のうちの、最も高い一部の領域の前記複数の領域から、時系列に、かつ、段階的に前記透過状態に制御する遮光透過情報を生成する
＜１５＞に記載の遮光装置。
＜１７＞  前記室内が利用可能時間の終了時刻となったとき、前記遮光透過情報生成部は、前記複数の領域を全て透過状態に制御する遮光透過情報を生成する
＜１５＞に記載の遮光装置。
＜１８＞  前記室内は、会議室、および時間貸ししている部屋の室内を含む
＜１５＞に記載の遮光装置。
＜１９＞  第１の空間と、第２の空間とを仕切り、光を透過する透過状態、または遮光する遮光状態に制御可能な複数の領域から構成される遮光壁を含む遮光装置の遮光方法であって、
ユーザの生体情報に基づいて、前記複数の領域のそれぞれの位置の前記透過状態、または前記遮光状態を制御する遮光透過情報を生成し、
生成された前記遮光透過情報に基づいて、前記遮光壁の複数の領域の透過状態、または、遮光状態を制御する
ステップを含む遮光装置の遮光方法。
＜２０＞  第１の空間と、第２の空間とを仕切り、光を透過する透過状態、または遮光する遮光状態に制御可能な複数の領域から構成される遮光壁と、
ユーザの生体情報に基づいて、前記複数の領域のそれぞれの位置の前記透過状態、または前記遮光状態を制御する遮光透過情報を生成する遮光透過情報生成部と、
前記遮光透過情報生成部により生成された前記遮光透過情報に基づいて、前記遮光壁の複数の領域の透過状態、または、遮光状態を制御する制御部と
してコンピュータを機能させるためのプログラム。
【符号の説明】
【０２１４】
１１  遮光壁，  １２，１２−１，１２−２  カメラ，  １３  制御部，  ２１，２１−Ａ乃至２１−Ｃ，２１−１，２１−２，２１’  パネル，  ３１  生体センサ，  ６１  GPS，  ６２  位置情報取得部，  ６３  位置情報記憶部，  ６４  時間情報入力部，  ６５  遮光壁方向入力部，  ６６  太陽光入射角度算出部，  ６７  顔検出部，  ６８  遮光透過位置算出部，  ６９  透過率算出部，  ７０  透過遮光記憶部，  ７１  遮光透過制御部，  ７２  アラーム設定部，  ７３  眠り深度算出部，  ７４  生体情報取得部，  ９１  降雨センサ，  ９２  PM2.5測定部，  １１１  目覚め検出部，  １１２  降雨データ受信部，  １１３  降雨データ記憶部，  １１４  PM2.5データ受信部，  １１５  PM2.5データ記憶部，  １３１  緊急情報取得部，  １７１  電動歯ブラシ，  １７２  充電スタンド，  ２０１  画像取得部，  ２０２  生体情報取得部，  ２０３  動作判定部，  ２０４  タイマ，  ２０５  遮光透過位置算出部，  ２０６  遮光透過記憶部，  ２０７  遮光透過制御部，  ２３１  会議室予約システム，  ２４１  会議室予約状態，  ２４２  会議開始/終了演出設定部，  ２４３  画像取得部，  ２４４  生体情報取得部，  ２４５  遮光透過位置算出部，  ２４６  遮光透過記憶部，  ２４７  遮光透過制御部
【図１】
2018061791.tif 000003
【図２】
2018061791.tif 000004
【図３】
2018061791.tif 000005
【図４】
2018061791.tif 000006
【図５】
2018061791.tif 000007
【図６】
2018061791.tif 000008
【図７】
2018061791.tif 000009
【図８】
2018061791.tif 000010
【図９】
2018061791.tif 000011
【図１０】
2018061791.tif 000012
【図１１】
2018061791.tif 000013
【図１２】
2018061791.tif 000014
【図１３】
2018061791.tif 000015
【図１４】
2018061791.tif 000016
【図１５】
2018061791.tif 000017
【図１６】
2018061791.tif 000018
【図１７】
2018061791.tif 000019
【図１８】
2018061791.tif 000020
【図１９】
2018061791.tif 000021
【図２０】
2018061791.tif 000022
【図２１】
2018061791.tif 000023
【国際調査報告】
2018061791.tif 000024
2018061791.tif 000025
2018061791.tif 000026
2018061791.tif 000027